(57)【要約】  レガシーデバイスと高効率ワイヤレス（ＨＥＷ）デバイスとを含むＩＥＥＥ８０２．１１ワイヤレス通信システムにおけるワイヤレス通信のための方法および装置が提供される。一態様では、レガシーデバイスと高効率ワイヤレス（ＨＥＷ）デバイスとを含むＩＥＥＥ８０２．１１ワイヤレス通信システムにおけるワイヤレス通信のための方法は、ＨＥＷプロトコルに従う通信のための第１の時間間隔を決定することを含む。方法は、レガシープロトコルに従って、第１の時間間隔の間に通信の受信を少なくとも部分的に保護する第１の通信を送信することをさらに含む。別の方法は、第２の通信を告知する第１の通信を受信することを含む。方法は、ＨＥＷプロトコルに従う通信のための第１の時間間隔を決定することをさらに含む。方法は、レガシープロトコルに従って、第１の時間間隔の間に通信の受信を少なくとも部分的に保護するための第２の通信を送信することをさらに含む。
2016540429.tif 000002
【特許請求の範囲】
【請求項１】
レガシーデバイスと高効率ワイヤレス（ＨＥＷ）デバイスとを含むＩＥＥＥ８０２．１１ワイヤレス通信システムにおけるワイヤレス通信の方法であって、
第２の通信を告知する第１の通信を受信することと、
ＨＥＷプロトコルに従う通信のための第１の時間間隔を決定することと、
レガシープロトコルに従って、前記第１の時間間隔の間に通信の受信を少なくとも部分的に保護するための前記第２の通信を送信することと
を備える方法。
【請求項２】
前記第２の通信を再送信する前に、第２の時間間隔を待機することをさらに備える、請求項１に記載の方法。
【請求項３】
前記第２の時間間隔は、コンテンションウィンドウフレーム間スペース（ＣＩＦＳ）を備える、請求項２に記載の方法。
【請求項４】
前記レガシープロトコルに従って、前記第１の時間間隔の間に第３の通信を送信することをさらに備える、請求項１に記載の方法。
【請求項５】
前記第１の通信の受信の後、前記第２の通信を送信する前に、第２の時間間隔を待機することをさらに備える、請求項１に記載の方法。
【請求項６】
前記第２の時間間隔は、ショートフレーム間スペース（ＳＩＦＳ）よりも短い、請求項５に記載の方法。
【請求項７】
前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、請求項１に記載の方法。
【請求項８】
レガシーデバイスと高効率ワイヤレス（ＨＥＷ）デバイスとを含むＩＥＥＥ８０２．１１ワイヤレス通信システムにおいて通信するように構成された装置であって、
第２の通信を告知する第１の通信を受信するように構成された受信機と、
ＨＥＷプロトコルに従う通信のための第１の時間間隔を決定するように構成されたプロセッサと、
レガシープロトコルに従って、前記第１の時間間隔の間に通信の受信を少なくとも部分的に保護するための前記第２の通信を送信するように構成された送信機と
を備える装置。
【請求項９】
前記プロセッサは、前記送信機に前記第２の通信を再送信させる前に、第２の時間間隔を待機するようにさらに構成される、請求項８に記載の装置。
【請求項１０】
前記第２の時間間隔は、コンテンションウィンドウフレーム間スペース（ＣＩＦＳ）を備える、請求項９に記載の装置。
【請求項１１】
前記送信機は、前記レガシープロトコルに従って、前記第１の時間間隔の間に第３の通信を送信するようにさらに構成される、請求項８に記載の装置。
【請求項１２】
前記送信機は、前記第１の通信の受信の後、前記第２の通信を送信する前に、第２の時間間隔を待機するようにさらに構成される、請求項８に記載の装置。
【請求項１３】
前記第２の時間間隔は、ショートフレーム間スペース（ＳＩＦＳ）よりも短い、請求項１２に記載の装置。
【請求項１４】
前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、請求項８に記載の装置。
【請求項１５】
レガシーデバイスと高効率ワイヤレス（ＨＥＷ）デバイスとを含むＩＥＥＥ８０２．１１ワイヤレス通信システムにおけるワイヤレス通信のための装置であって、
第２の通信を告知する第１の通信を受信するための手段と、
ＨＥＷプロトコルに従う通信のための第１の時間間隔を決定するための手段と、
レガシープロトコルに従って、前記第１の時間間隔の間に通信の受信を少なくとも部分的に保護するための前記第２の通信を送信するための手段と
を備える装置。
【請求項１６】
前記第２の通信を再送信する前に、第２の時間間隔を待機するための手段をさらに備える、請求項１５に記載の装置。
【請求項１７】
前記第２の時間間隔は、コンテンションウィンドウフレーム間スペース（ＣＩＦＳ）を備える、請求項１６に記載の装置。
【請求項１８】
前記レガシープロトコルに従って、前記第１の時間間隔の間に第３の通信を送信するための手段をさらに備える、請求項１５に記載の装置。
【請求項１９】
前記第１の通信の受信の後、前記第２の通信を送信する前に、第２の時間間隔を待機するための手段をさらに備える、請求項１５に記載の装置。
【請求項２０】
前記第２の時間間隔は、ショートフレーム間スペース（ＳＩＦＳ）よりも短い、請求項１９に記載の装置。
【請求項２１】
前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、請求項１５に記載の装置。
【請求項２２】
実行されると、装置に、
レガシーデバイスと高効率ワイヤレス（ＨＥＷ）デバイスとを含むＩＥＥＥ８０２．１１ワイヤレス通信システムにおいて第２の通信を告知する第１の通信を受信させ、
ＨＥＷプロトコルに従う通信のための第１の時間間隔を決定させ、
レガシープロトコルに従って、前記第１の時間間隔の間に通信の受信を少なくとも部分的に保護するための前記第２の通信を送信させる
コードを備える非一時的コンピュータ可読媒体。
【請求項２３】
実行されると、前記装置に、前記第２の通信を再送信する前に、第２の時間間隔を待機させるコードをさらに備える、請求項２２に記載の媒体。
【請求項２４】
前記第２の時間間隔は、コンテンションウィンドウフレーム間スペース（ＣＩＦＳ）を備える、請求項２３に記載の媒体。
【請求項２５】
実行されると、前記装置に、前記レガシープロトコルに従って、前記第１の時間間隔の間に第３の通信を送信させるコードをさらに備える、請求項２２に記載の媒体。
【請求項２６】
実行されると、前記装置に、前記第１の通信の受信の後、前記第２の通信を送信する前に、第２の時間間隔を待機させるコードをさらに備える、請求項２２に記載の媒体。
【請求項２７】
前記第２の時間間隔は、ショートフレーム間スペース（ＳＩＦＳ）よりも短い、請求項２６に記載の媒体。
【請求項２８】
前記第２の通信が、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、請求項２２に記載の媒体。
【発明の詳細な説明】
【技術分野】
【０００１】
[0001]本開示のいくつかの態様は、一般にワイヤレス通信に関し、より詳細には、ワイヤレスネットワークにおける通信の受信を保護するための方法および装置に関する。
【背景技術】
【０００２】
[0002]多くの電気通信システムでは、いくつかの相互作用する空間的に分離されたデバイス間でメッセージを交換するために、通信ネットワークが使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって動的な接続性を必要とするとき、またはネットワークアーキテクチャが固定されたトポロジーでなくアドホックなトポロジーで形成される場合に、好ましいことが多い。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザモビリティと迅速なフィールド展開とを容易にする。
【０００４】
[0004]ワイヤレスネットワーク中のデバイスは、互いの間で情報を送信／受信することができる。デバイスは、異なるデータレートにおいて通信することができる。多くのデバイスが通信ネットワークを共有し、デバイスネットワークの通信レートの間に大きい差がある場合、輻輳および非効率的なリンク使用が生じ得る。したがって、高効率ワイヤレスネットワークにおける通信効率を改善するためのシステム、方法、および非一時的コンピュータ可読媒体が必要とされる。
【発明の概要】
【０００５】
[0005]添付の特許請求の範囲内のシステム、方法およびデバイスの様々な実装形態は各々、いくつかの態様を有し、それらのうちのいずれの単一の態様も、単独では本明細書で説明する望ましい属性を担わない。添付の特許請求の範囲を限定することなしに、いくつかの顕著な特徴について本明細書で説明する。
【０００６】
[0006]本明細書で説明する主題の１つまたは複数の実装形態の詳細は、添付の図面および以下の説明に示されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、レガシーデバイスと高効率ワイヤレス（ＨＥＷ）デバイスとを含むＩＥＥＥ８０２．１１ワイヤレス通信システムにおけるワイヤレス通信の方法を提供する。方法は、ＨＥＷプロトコルに従う通信のための第１の時間間隔を決定することを含む。方法は、レガシープロトコルに従って、第１の時間間隔の間に通信の受信を少なくとも部分的に保護する第１の通信を送信することをさらに含む。
【０００８】
[0008]様々な実施形態では、方法は、第１の通信を再送信する前に、第２の時間間隔を待機することをさらに含むことができる。様々な実施形態では、第２の時間間隔は、コンテンションウィンドウフレーム間スペース（ＣＩＦＳ）を含むことができる。様々な実施形態では、方法は、レガシープロトコルに従って、第１の時間間隔の間に第２の通信を送信することをさらに含むことができる。
【０００９】
[0009]様々な実施形態では、方法は、第１の通信を告知する第２の通信を送信することをさらに含むことができる。方法は、第２の通信を送信した後、第１の通信を送信する前に、第２の時間間隔を待機することをさらに含むことができる。様々な実施形態では、第２の時間間隔はショートフレーム間スペース（ＳＩＦＳ）よりも短くてもよい。
【００１０】
[0010]様々な実施形態では、方法は、クロックを少なくとも１つの他のワイヤレスデバイスと少なくとも部分的に同期させることをさらに含むことができる。方法は、第１の通信を送信する前に、同期した送信時間を待機することをさらに含むことができる。
【００１１】
[0011]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００１２】
[0012]別の態様は、レガシーデバイスと高効率ワイヤレス（ＨＥＷ）デバイスとを含むＩＥＥＥ８０２．１１ワイヤレス通信システムにおけるワイヤレス通信の別の方法を提供する。方法は、第２の通信を告知する第１の通信を受信することを含む。方法は、ＨＥＷプロトコルに従う通信のための第１の時間間隔を決定することをさらに含む。方法は、レガシープロトコルに従って、第１の時間間隔の間に通信の受信を少なくとも部分的に保護するための第２の通信を送信することをさらに含む。
【００１３】
[0013]様々な実施形態では、方法は、第２の通信を再送信する前に、第２の時間間隔を待機することをさらに含むことができる。様々な実施形態では、第２の時間間隔は、コンテンションウィンドウフレーム間スペース（ＣＩＦＳ）を含むことができる。様々な実施形態では、方法は、レガシープロトコルに従って、第１の時間間隔の間に第３の通信を送信することをさらに含むことができる。
【００１４】
[0014]様々な実施形態では、方法は、第１の通信の受信の後、第２の通信を送信する前に、第２の時間間隔を待機することをさらに含むことができる。様々な実施形態では、方法は、さらに含むことができる、ここにおいて、第２の時間間隔はショートフレーム間スペース（ＳＩＦＳ）よりも短くてもよい。
【００１５】
[0015]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００１６】
[0016]別の態様は、レガシーデバイスと高効率ワイヤレス（ＨＥＷ）デバイスとを含むＩＥＥＥ８０２．１１ワイヤレス通信システムにおいて通信するように構成された装置を提供する。装置は、ＨＥＷプロトコルに従う通信のための第１の時間間隔を決定するように構成されたプロセッサを含む。装置は、レガシープロトコルに従って、第１の時間間隔の間に通信の受信を少なくとも部分的に保護する第１の通信を送信するように構成された送信機をさらに含む。
【００１７】
[0017]様々な実施形態では、プロセッサは、送信機に第１の通信を再送信させる前に、第２の時間間隔を待機するようにさらに構成され得る。様々な実施形態では、第２の時間間隔は、コンテンションウィンドウフレーム間スペース（ＣＩＦＳ）を含むことができる。様々な実施形態では、送信機は、レガシープロトコルに従って、第１の時間間隔の間に第２の通信を送信するようにさらに構成され得る。
【００１８】
[0018]様々な実施形態では、送信機は、第１の通信を告知する第２の通信を送信するようにさらに構成され得る。送信機は、第２の通信を送信した後、第１の通信を送信する前に、第２の時間間隔を待機するようにさらに構成され得る。様々な実施形態では、第２の時間間隔はショートフレーム間スペース（ＳＩＦＳ）よりも短くてもよい。
【００１９】
[0019]様々な実施形態では、プロセッサは、クロックを少なくとも１つの他のワイヤレスデバイスと少なくとも部分的に同期させるようにさらに構成され得る。プロセッサは、送信機に第１の通信を送信させる前に、同期した送信時間を待機するようにさらに構成され得る。
【００２０】
[0020]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００２１】
[0021]別の態様は、レガシーデバイスと高効率ワイヤレス（ＨＥＷ）デバイスとを含むＩＥＥＥ８０２．１１ワイヤレス通信システムにおいて通信するように構成された装置を提供する。装置は、第２の通信を告知する第１の通信を受信するように構成された受信機を含む。装置は、ＨＥＷプロトコルに従う通信のための第１の時間間隔を決定するように構成されたプロセッサをさらに含む。装置は、レガシープロトコルに従って、第１の時間間隔の間に通信の受信を少なくとも部分的に保護するための第２の通信を送信するように構成された送信機をさらに含む。
【００２２】
[0022]様々な実施形態では、プロセッサは、送信機に第２の通信を再送信させる前に、第２の時間間隔を待機するようにさらに構成され得る。様々な実施形態では、第２の時間間隔は、コンテンションウィンドウフレーム間スペース（ＣＩＦＳ）を含むことができる。様々な実施形態では、送信機は、レガシープロトコルに従って、第１の時間間隔の間に第３の通信を送信するようにさらに構成され得る。
【００２３】
[0023]様々な実施形態では、送信機は、第１の通信の受信の後、第２の通信を送信する前に、第２の時間間隔を待機するようにさらに構成され得る。様々な実施形態では、第２の時間間隔はショートフレーム間スペース（ＳＩＦＳ）よりも短くてもよい。
【００２４】
[0024]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００２５】
[0025]別の態様は、レガシーデバイスと高効率ワイヤレス（ＨＥＷ）デバイスとを含むＩＥＥＥ８０２．１１ワイヤレス通信システムにおけるワイヤレス通信のための別の装置を提供する。装置は、ＨＥＷプロトコルに従う通信のための第１の時間間隔を決定するための手段を含む。装置は、レガシープロトコルに従って、第１の時間間隔の間に通信の受信を少なくとも部分的に保護する第１の通信を送信するための手段をさらに含む。
【００２６】
[0026]様々な実施形態では、装置は、第１の通信を再送信する前に、第２の時間間隔を待機するための手段をさらに含むことができる。様々な実施形態では、第２の時間間隔は、コンテンションウィンドウフレーム間スペース（ＣＩＦＳ）を含むことができる。様々な実施形態では、装置は、レガシープロトコルに従って、第１の時間間隔の間に第２の通信を送信するための手段をさらに含むことができる。
【００２７】
[0027]様々な実施形態では、装置は、第１の通信を告知する第２の通信を送信するための手段をさらに含むことができる。装置は、第２の通信を送信した後、第１の通信を送信する前に、第２の時間間隔を待機するための手段をさらに含むことができる。様々な実施形態では、第２の時間間隔はショートフレーム間スペース（ＳＩＦＳ）よりも短くてもよい。
【００２８】
[0028]様々な実施形態では、装置は、クロックを少なくとも１つの他のワイヤレスデバイスと少なくとも部分的に同期させるための手段をさらに含むことができる。装置は、第１の通信を送信する前に、同期した送信時間を待機するための手段をさらに含むことができる。
【００２９】
[0029]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００３０】
[0030]別の態様は、レガシーデバイスと高効率ワイヤレス（ＨＥＷ）デバイスとを含むＩＥＥＥ８０２．１１ワイヤレス通信システムにおけるワイヤレス通信のための別の装置を提供する。装置は、第２の通信を告知する第１の通信を受信するための手段を含む。装置は、ＨＥＷプロトコルに従う通信のための第１の時間間隔を決定するための手段をさらに含む。装置は、レガシープロトコルに従って、第１の時間間隔の間に通信の受信を少なくとも部分的に保護するための第２の通信を送信するための手段をさらに含む。
【００３１】
[0031]様々な実施形態では、装置は、第２の通信を再送信する前に、第２の時間間隔を待機するための手段をさらに含むことができる。様々な実施形態では、第２の時間間隔は、コンテンションウィンドウフレーム間スペース（ＣＩＦＳ）を含むことができる。様々な実施形態では、装置は、レガシープロトコルに従って、第１の時間間隔の間に第３の通信を送信するための手段をさらに含むことができる。
【００３２】
[0032]様々な実施形態では、装置は、第１の通信の受信の後、第２の通信を送信する前に、第２の時間間隔を待機するための手段をさらに含むことができる。様々な実施形態では、第２の時間間隔はショートフレーム間スペース（ＳＩＦＳ）よりも短くてもよい。
【００３３】
[0033]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００３４】
[0034]別の態様は、非一時的コンピュータ可読媒体を提供する。媒体は、実行されると、装置にＨＥＷプロトコルに従う通信のための第１の時間間隔を決定させるコードを含む。媒体は、実行されると、装置に、レガシープロトコルに従って、第１の時間間隔の間に通信の受信を少なくとも部分的に保護する第１の通信を送信させるコードをさらに含む。
【００３５】
[0035]様々な実施形態では、媒体は、実行されると、装置に、第１の通信を再送信する前に、第２の時間間隔を待機させるコードをさらに含むことができる。様々な実施形態では、第２の時間間隔は、コンテンションウィンドウフレーム間スペース（ＣＩＦＳ）を含むことができる。様々な実施形態では、媒体は、実行されると、装置に、レガシープロトコルに従って、第１の時間間隔の間に第２の通信を送信させるコードをさらに含むことができる。
【００３６】
[0036]様々な実施形態では、媒体は、実行されると、装置に第１の通信を告知する第２の通信を送信させるコードをさらに含むことができる。媒体は、実行されると、第２の通信を送信した後、第１の通信を送信する前に、装置に第２の時間間隔を待機させるコードをさらに含むことができる。様々な実施形態では、第２の時間間隔はショートフレーム間スペース（ＳＩＦＳ）よりも短くてもよい。
【００３７】
[0037]様々な実施形態では、媒体は、実行されると、装置に、クロックを少なくとも１つの他のワイヤレスデバイスと少なくとも部分的に同期させるコードをさらに含むことができる。媒体は、実行されると、装置に、第１の通信を送信する前に、同期した送信時間を待機させるコードをさらに含むことができる。
【００３８】
[0038]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【００３９】
[0039]様々な実施形態では、非一時的コンピュータ可読媒体。媒体は、実行されると、装置に、レガシーデバイスと高効率ワイヤレス（ＨＥＷ）デバイスとを含むＩＥＥＥ８０２．１１ワイヤレス通信システムにおいて第２の通信を告知する第１の通信を受信させるコードを含む。媒体は、実行されると、装置にＨＥＷプロトコルに従う通信のための第１の時間間隔を決定させるコードをさらに含む。媒体は、実行されると、装置に、レガシープロトコルに従って、第１の時間間隔の間に通信の受信を少なくとも部分的に保護するための第２の通信を送信させるコードをさらに含む。
【００４０】
[0040]様々な実施形態では、媒体は、実行されると、装置に、第２の通信を再送信する前に、第２の時間間隔を待機させるコードをさらに含むことができる。様々な実施形態では、第２の時間間隔は、コンテンションウィンドウフレーム間スペース（ＣＩＦＳ）を含むことができる。様々な実施形態では、媒体は、実行されると、装置に、レガシープロトコルに従って、第１の時間間隔の間に第３の通信を送信させるコードをさらに含むことができる。
【００４１】
[0041]様々な実施形態では、媒体は、実行されると、装置に、第１の通信の受信の後、第２の通信を送信する前に、第２の時間間隔を待機させるコードをさらに含むことができる。様々な実施形態では、第２の時間間隔はショートフレーム間スペース（ＳＩＦＳ）よりも短くてもよい。
【００４２】
[0042]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。
【図面の簡単な説明】
【００４３】
【図１】[0043]本開示の態様が採用され得るワイヤレス通信システムの一例を示す図。
【図２】[0044]図１のワイヤレス通信システム内で採用され得るワイヤレスデバイスにおいて利用され得る様々な構成要素を示す図。
【図３】[0045]送信可（ＣＴＳ）フレームの一例を示す図。
【図４】[0046]ＭＡＣヘッダフレームの一例を示す図。
【図５】[0047]１つまたは複数のフィールドに追加される情報を示すＣＴＳフレームの一例を示す図。
【図６】[0048]送信要求（ＲＴＳ）フレームの一例を示す図。
【図７】[0049]ワイヤレス通信を提供するための例示的な方法の一態様のフローチャート。
【図８】[0050]ワイヤレス通信システム内で採用され得る例示的なデバイスの機能ブロック図。
【図９】[0051]一実施形態による、図１のワイヤレス通信システムにおける様々な通信を示すタイミング図。
【図１０】[0052]一実施形態による、図１のワイヤレス通信システムにおける様々な通信を示す別のタイミング図。
【図１１】[0053]一実施形態による、図１のワイヤレス通信システムにおける様々な通信を示すタイミング図。
【図１２】[0054]レガシーデバイスと高効率ワイヤレス（ＨＥＷ）デバイスとを含むＩＥＥＥ８０２．１１ワイヤレス通信システムにおけるワイヤレス通信の例示的な方法のフローチャート。
【図１３】[0055]レガシーデバイスと高効率ワイヤレス（ＨＥＷ）デバイスとを含むＩＥＥＥ８０２．１１ワイヤレス通信システムにおけるワイヤレス通信のための装置の機能ブロック図。
【図１４】[0056]レガシーデバイスと高効率ワイヤレス（ＨＥＷ）デバイスとを含むＩＥＥＥ８０２．１１ワイヤレス通信システムにおけるワイヤレス通信の別の例示的な方法のフローチャート。
【図１５】[0057]レガシーデバイスと高効率ワイヤレス（ＨＥＷ）デバイスとを含むＩＥＥＥ８０２．１１ワイヤレス通信システムにおけるワイヤレス通信のための別の装置の機能ブロック図。
【発明を実施するための形態】
【００４４】
[0058]添付の図面を参照しながら、新規のシステム、装置、および方法の様々な態様について以下でより十分に説明する。しかしながら、教示開示は、多くの異なる形態で具現化され得るものであり、本開示全体にわたって提示する任意の特定の構造または機能に限定されるものと解釈されるべきではない。むしろ、これらの態様は、本開示が徹底的で完全なものとなり、本開示の範囲を当業者に完全に伝えるように、与えられる。本明細書の教示に基づいて、本開示の範囲は、本発明の任意の他の態様とは無関係に実装されるか、本発明の任意の他の態様と組み合わされるかにかかわらず、本明細書で開示する新規のシステム、装置、および方法の任意の態様を包含するものであることを、当業者なら諒解されたい。たとえば、本明細書に記載した任意の数の態様を使用して、装置が実装されてよく、または方法が実践されてよい。加えて、本発明の範囲は、本明細書に記載した本発明の様々な態様に加えて、またはそれ以外の、他の構造、機能、または構造および機能を使用して実践されるそのような装置または方法を包含するものとする。本明細書で開示するいずれの態様も、請求項の１つまたは複数の要素によって具現化され得ることを理解されたい。
【００４５】
[0059]特定の態様について本明細書で説明するが、これらの態様の多くの変形および置換は本開示の範囲内に入る。好ましい態様のいくつかの利益および利点が述べられるが、本開示の範囲は特定の利益、使用、または目的に限定されるものではない。むしろ、本開示の態様は、異なるワイヤレス技術、システム構成、ネットワーク、および伝送プロトコルに広く適用可能なものであり、そのうちのいくつかが図面および好ましい態様の以下の説明において例として示される。詳細な説明および図面は、限定的ではなく、本開示の例示にすぎず、本開示の範囲は、添付の特許請求の範囲とその均等物とによって定義される。
【００４６】
[0060]ワイヤレスネットワーク技術は、様々なタイプのワイヤレスローカルエリアネットワーク（ＷＬＡＮ）を含むことができる。ＷＬＡＮは、広く使用されているネットワーキングプロトコルを採用して、近くのデバイスを一緒に相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなどの任意の通信規格に適用され得る。
【００４７】
[0061]いくつかの態様では、ワイヤレス信号は、直交周波数分割多重（ＯＦＤＭ）、直接シーケンス拡散スペクトル（ＤＳＳＳ）通信、ＯＦＤＭとＤＳＳＳ通信との組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレス適用例に使用され得る。有利なことに、この特定のワイヤレスプロトコルを実装するいくつかのデバイスの態様は、他のワイヤレスプロトコルを実装するデバイスよりも消費する電力が少ない場合があり、短い距離にわたってワイヤレス信号を送信するために使用される場合があり、および／または、人などの物体によって遮断される可能性が低い信号を送信することが可能である場合がある。
【００４８】
[0062]いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）と、（局または「ＳＴＡ」とも呼ばれる）クライアントとがあり得る。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、Ｗｉ−Ｆｉ（たとえば、８０２．１１ａｈなどのＩＥＥＥ８０２．１１プロトコル）準拠のワイヤレスリンクを介してＡＰに接続する。いくつかの実装形態では、ＳＴＡはＡＰとしても使用され得る。
【００４９】
[0063]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装することができる。
【００５０】
[0064]本明細書の教示は、様々なワイヤード装置またはワイヤレス装置（たとえば、ノード）に組み込まれ得る（たとえば、その装置内で実装されるか、またはその装置によって実行され得る）。いくつかの態様では、本明細書の教示に従って実装されるワイヤレスノードは、アクセスポイントまたはアクセス端末を含むことができる。
【００５１】
[0065]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を含むか、それらのいずれかとして実装されるか、またはそれらのいずれかとして知られ得る。
【００５２】
[0066]局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または他の何らかの用語を含むか、それらのいずれかとして実装されるか、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを含むことができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の好適なデバイスに組み込まれ得る。
【００５３】
[0067]上記で説明したように、本明細書で説明するデバイスのいくつかは、たとえば、８０２．１１ａｈ規格を実装することができる。そのようなデバイスは、ＳＴＡとして使用されるか、ＡＰとして使用されるか、または他のデバイスとして使用されるかにかかわらず、スマートメータリングに、またはスマートグリッドネットワークにおいて使用され得る。そのようなデバイスは、センサー適用例を提供するか、またはホームオートメーションにおいて使用され得る。デバイスは、代わりにまたは加えて、たとえばパーソナルヘルスケアのために、ヘルスケアの状況において使用され得る。それらのデバイスはまた、（たとえば、ホットスポットとともに使用するための）拡張された範囲のインターネット接続性を可能にするために、またはマシンツーマシン通信を実装するために、監視に使用され得る。
【００５４】
[0068]図１は、本開示の態様が採用され得るワイヤレス通信システム１００の一例を示す。ワイヤレス通信システム１００は、ワイヤレス規格、たとえば、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、ＳＴＡ１０６Ａ、１０６Ｂ、１０６Ｃ、および／または１０６Ｄ（まとめてＳＴＡ１０６またはＳＴＡ１０６Ａ〜１０６Ｄと呼ばれる）のうちの１つまたは複数と通信するＡＰ１０４を含むことができる。
【００５５】
[0069]様々なプロセスおよび方法は、ＡＰ１０４とＳＴＡ１０６との間の、ワイヤレス通信システム１００における送信に使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００は、ＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。そうである場合、ワイヤレス通信システム１００は、ＣＤＭＡシステムと呼ばれることがある。
【００５６】
[0070]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５７】
[0071]ＡＰ１０４は、基本サービスエリア（ＢＳＡ）１０２においてワイヤレス通信カバレージを提供することができる。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能することができることに留意されたい。したがって、本明細書で説明するＡＰ１０４の機能は、代替的にＳＴＡ１０６のうちの１つまたは複数によって実行され得る。
【００５８】
[0072]図２は、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４またはＳＴＡ１０６のうちの１つを含むことができる。
【００５９】
[0073]ワイヤレスデバイス２０２は、ワイヤレスデバイス２０２の動作を制御するプロセッサ２０４を含むことができる。プロセッサ２０４は、中央処理ユニット（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に提供する。メモリ２０６の一部分は、不揮発性ランダムアクセスメモリ（ＮＶＲＡＭ）も含むことができる。プロセッサ２０４は、通常、メモリ２０６内に記憶されたプログラム命令に基づいて論理演算と算術演算とを実行する。メモリ２０６中の命令は、本明細書で説明する方法を実装するように実行可能であり得る。
【００６０】
[0074]プロセッサ２０４は、１つまたは複数のプロセッサとともに実装された処理システムを含むことができるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の好適なエンティティの任意の組合せを用いて実装され得る。
【００６１】
[0075]処理システムは、ソフトウェアを記憶するための機械可読媒体を含むこともできる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明する様々な機能を処理システムに実行させる。
【００６２】
[0076]ワイヤレスデバイス２０２は、ワイヤレスデバイス２０２とリモートロケーションとの間のデータの送信と受信とを可能にするために送信機２１０と受信機２１２とを含むことができる、ハウジング２０８を含むこともできる。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、たとえば、ＭＩＭＯ通信の間に利用され得る、複数の送信機、複数の受信機、複数のトランシーバ、および／または複数のアンテナ（図示せず）を含むこともできる。
【００６３】
[0077]ワイヤレスデバイス２０２は、トランシーバ２１４によって受信された信号のレベルを検出および定量化するために使用され得る信号検出器２１８を含むこともできる。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使用するためのデジタル信号プロセッサ（ＤＳＰ）２２０を含むこともできる。ＤＳＰ２２０は、送信用のデータユニットを生成するように構成され得る。いくつかの態様では、データユニットは物理レイヤデータユニット（ＰＰＤＵ）を含むことができる。いくつかの態様では、ＰＰＤＵはパケットと呼ばれる。
【００６４】
[0078]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達するおよび／またはユーザからの入力を受信する、任意の要素または構成要素を含むことができる。
【００６５】
[0079]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含むことができる。ワイヤレスデバイス２０２の構成要素は、何らかの他の機構を使用して、一緒に結合され得るか、または互いに対する入力を受け入れ、もしくは提供し得ることを当業者は諒解されよう。
【００６６】
[0080]いくつかの別個の構成要素が図２に示されているが、構成要素のうちの１つまたは複数が組み合わされるかまたは共通に実装され得ることを、当業者なら認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００６７】
[0081]上記で説明したように、ワイヤレスデバイス２０２は、ＡＰ１０４またはＳＴＡ１０６を含むことができ、通信を送信および／または受信するために使用され得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実行するためのおよびデータを確実に配信するためのデータフレーム（たとえば、データの受信を肯定応答すること、ＡＰのポーリング、エリアクリアリング動作、チャネル取得、キャリア検知保守機能など）とともに使用され得る。管理フレームは、様々な監視機能に（たとえば、ワイヤレスネットワークに接続し、そこから離脱するためなどに）使用され得る。
【００６８】
[0082]レガシーデバイス（たとえば、非ＨＥＷデバイス）および／またはＨＥＷデバイスに対して１つまたは複数の送信を構成するためのいくつかの異なる方法、デバイス、および／またはアルゴリズムが開示されており、これらの方法、デバイス、および／またはアルゴリズムは、レガシーデバイスとＨＥＷデバイスの両方が通信を受信し、互いに近接して共存することができるように、各々または組合せにおいて、実際におよび実装形態において、８０２．１１通信システムにおけるワイヤレス干渉の管理を可能にするであろう。
専用の送信可フレーム
[0083]本開示のいくつかの態様は、効率を改善するためにＡＰ１０４が最適化された方法でＳＴＡ１０６送信をスケジュールするのを可能にすることをサポートする。高効率ワイヤレス（ＨＥＷ）局、８０２．１１高効率プロトコルを利用する局と、より古いまたはレガシー８０２．１１プロトコルを使用する局の両方は、ワイヤレス媒体へのアクセスをめぐって競合することがある。本明細書で説明する高効率８０２．１１プロトコルは、８０２．１１フレームに埋め込まれた特定のＭＡＣアドレスを識別し、８０２．１１フレームに埋め込まれた関連する持続時間フィールドを選択的に無視することができるＨＥＷデバイスとそうすることができないレガシーデバイスを区別する修正された機構の下でデバイスが動作するのを可能にすることができる。たとえば、図１に関して、ＳＴＡ１０６Ａおよび１０６ＢはレガシーＳＴＡであり得るが、ＳＴＡ１０６Ｃおよび１０６ＤはＨＥＷ  ＳＴＡであり得る。この実施形態では、ＨＥＷ  ＳＴＡ１６０ｃおよび１０６ＤがレガシーＳＴＡ１０６Ａおよび１０６Ｂからの干渉なしにＡＰ１０４と通信することができるように、レガシーＳＴＡ１０６Ａと１０６Ｂとを無音化することが望ましい場合がある。１つのそのような実装形態は、アドレスフィールド中に特定のＭＡＣアドレスを含む送信可（ＣＴＳ）フレームを利用することができる。ＨＥＷ  ＳＴＡは、以下で説明する１つまたは複数の実装形態に従って動作するようＨＥＷ  ＳＴＡに命令するものとして特定のＭＡＣアドレスを識別することが可能であり得る。様々な実施形態では、そのようなＣＴＳフレームは、「専用」ＣＴＳ（ＤＣＴＳ）フレームと呼ばれることがある。そのような実施形態では、図１に関して、ＳＴＡ１０６Ａおよび１０６ＢはレガシーＩＥＥＥ８０２．１１規格（すなわち、ＩＥＥＥ８０２．１１ｂ）によるモードで動作中であってもよく、ＳＴＡ１０６Ｃおよび１０６ＤはＩＥＥＥ８０２．１１高効率プロトコルによるモードで動作中であってもよい。
【００６９】
[0084]図３は、送信可（ＣＴＳ）フレームの一例を示す。ＣＴＳフレーム３００は、通信のためのチャネルを確保するためにデバイスによって送信され得る。ＣＴＳフレーム３００は、４つの異なるフィールド、すなわち、フレーム制御（ＦＣ）フィールド３０２と、持続時間フィールド３０４と、（受信機アドレス（ａ１）とも呼ばれる）受信機アドレス（ＲＡ）フィールド３０６と、フレーム検査シーケンス（ＦＣＳ）フィールド３０８とを含む。図３はさらに、フィールド３０２、３０４、３０６および３０８の各々のオクテットでのサイズをそれぞれ２、２、６および４と示す。ＲＡフィールド３０６は、４８ビット（６オクテット）値である、デバイスのフルＭＡＣアドレスを含む。ＣＴＳフレームの場合、ＲＡフィールド３０６中のＭＡＣアドレスは、通常、ＣＴＳフレームが受信されることになるデバイスに対応する。従来の動作では、ＣＴＳフレーム３００がアドレス指定されず、ＣＴＳフレーム３００を復号することが可能なすべてのデバイスは、持続時間フィールド３０４中の値に従ってそれらのネットワーク割振りベクトル（ＮＡＶ）を更新することによって、持続時間フィールド３０４において示される持続時間の間、それら自体を無音化する。
【００７０】
[0085]しかしながら、いくつかの実装形態によれば、ＲＡフィールド３０６は、ＨＥＷ  ＳＴＡ、たとえば図１に示すＳＴＡ１０６Ｃおよび１０６Ｄが、持続時間フィールド３０４中の値に従ってそれらのそれぞれのネットワーク割振りベクトル（ＮＡＶ）を更新しないようＨＥＷ  ＳＴＡに命令するものとして識別するように特に構成される特定のＭＡＣアドレスを含むことができる。したがって、ＨＥＷ  ＳＴＡはＣＴＳフレーム３００を受信することによって無音化されない。しかしながら、レガシーＳＴＡ１０６Ａおよび１０６ＢはＲＡフィールド３０６中の特定のＭＡＣアドレスを識別するように構成されないので、レガシーＳＴＡは、ＣＴＳフレーム３００を受信することによって、持続時間フィールド３０４中の値に従ってそれらのＮＡＶを更新するよう命令される。これは、ＲＡフィールド３０６中の特定のＭＡＣアドレスがレガシーＳＴＡのうちのいずれかに関連付けられたＭＡＣアドレスと一致しないからである。ＣＴＳフレーム３００の持続時間フィールドは、総通信時間の所定の割合が、ＳＴＡ１０６Ｃおよび１０６Ｄが通信するために確保されるように設定され得る。このようにして、ワイヤレス媒体へのアクセスはＨＥＷ  ＳＴＡによる通信のために確保され得る。したがって、レガシーＳＴＡのためのＮＡＶがレガシーＳＴＡを無音化するように設定される時間の間、ＨＥＷ  ＳＴＡは、レガシーＳＴＡの動作を制御するものとは異なるアクセス方式または異なるセットのチャネルアクセスルールを使用して、媒体へのアクセスについての特殊なコンテンション期間に入ることがある。したがって、特定のＭＡＣアドレスは、そのアドレスが物理デバイスにではなくプロトコル機能に関連付けられるという特性を有する。特定のＭＡＣアドレスに関連付けられたそのようなプロトコル機能または意味は、標準化団体によって定義され得る。このように、特定のＭＡＣアドレスは物理デバイスに割り当てられないが、レガシーデバイスには通常のフレームであるように見えるフレームに対して特定の意味を示すために、標準化団体によって定義される規格で使用するために確保されている。特定のＭＡＣアドレスは、個別アドレスまたはグループアドレスである。特定のＭＡＣアドレスが個別アドレスであるとき、これらのアドレスは一意であることが保証されるが、これは、個別ＭＡＣアドレスが単一の機関（Ｉｎｓｔｉｔｕｔｅ  ｏｆ  Ｅｌｅｃｔｒｉｃｓ  ａｎｄ  Ｅｌｅｃｔｒｏｎｉｃｓ  Ｅｎｇｉｎｅｅｒｓ  Ｓｔａｎｄａｒｄｓ  Ａｓｓｏｃｉａｔｉｏｎ（ＩＥＥＥ−ＳＡ））によって管理されるからである。特定のＭＡＣアドレスがグループアドレスであるとき、これらのアドレスは一意であることが保証されない場合があるが、これはグループアドレスが単一の機関によって管理されず、任意のデバイスによって自由に使用できるからである。代替として、特定のＭＡＣアドレスを含むＣＴＳフレーム３００を送信するワイヤレスデバイスは、管理フレーム交換においてまたはビーコンを介して意味とアドレスとを関連するワイヤレスデバイスにあらかじめ通信することによって、特定の意味を特定のＭＡＣアドレスに割り当てることができる。さらに、いくつかの実装形態は、それぞれが異なるアクセス方式のうちの異なる１つに割り当てられる、異なる特定のＭＡＣアドレスを企図することができる。このようにして、特定のＭＡＣアドレスは、ＨＥＷ  ＳＴＡの特殊なコンテンション期間の開始をはっきり区別するために利用され得る。
【００７１】
[0086]いくつかの態様では、ＡＰ１０４またはＳＴＡ１０６のうちの１つは、以下の図４に関してより詳細に示すように、特定のＭＡＣアドレスがフレームのＭＡＣヘッダ内の１つまたは複数の他のアドレスフィールド中に配置される、フレームを送信することができる。図４は、ＭＡＣヘッダフレームの一例を示す。ＭＡＣヘッダフレーム４００は、通信のためのチャネルを確保するためにデバイスによって送信され得る。ＭＡＣヘッダフレーム４００は、８つのフィールド、すなわち、フレーム制御（ＦＣ）フィールド４０２と、受信機アドレスＡ１フィールド４０４と、受信機アドレスＡ２フィールド４０６と、シーケンス制御フィールド４０８と、受信機アドレスＡ３フィールド４１０と、受信機アドレスＡ４フィールド４１２と、フレーム本体フィールド４１４と、フレーム検査シーケンス（ＦＣＳ）フィールド４１６とを含むことができる。図４はさらに、フィールド４０２、４０４、４０６、４０８、４１０、４１２、４１４および４１６の各々のオクテットでの可能なサイズをそれぞれ２、６、６、０または２、６、６、可変および４と示す。受信機アドレスＡ１フィールド４０４は通常、フレーム４００に対する受信側デバイスのＭＡＣアドレスを示すために利用される。受信機アドレスＡ２フィールド４０６は通常、フレーム４００の送信側デバイスのＭＡＣアドレスを示すために利用される。受信機アドレスＡ３フィールド４１０は通常、フレーム４００に対するソースデバイスまたは宛先デバイスのＭＡＣアドレスを示すために利用される。受信機アドレスＡ４フィールド４１２は通常、ブリッジリンク上のフレーム４００のソースデバイスまたは宛先デバイスのＭＡＣアドレスを示すために利用される。
【００７２】
[0087]上記の図３に関して説明した実装形態と同様に、特定のＭＡＣアドレスは、受信機アドレスＡ１フィールド４０４、受信機アドレスＡ２フィールド４０６、受信機アドレスＡ３フィールド４１０、および受信機アドレスＡ４フィールドのうちのいずれかに含まれ得る。前に説明したように、ＨＥＷ  ＳＴＡ、たとえば図１に示すＳＴＡ１０６Ｃおよび１０６Ｄは、持続時間フィールド中の値に従ってそれらのそれぞれのネットワーク割振りベクトル（ＮＡＶ）を更新しないようＨＥＷ  ＳＴＡに命令するものとして上述の受信機アドレスフィールドのうちのいずれかにおける特定のＭＡＣアドレスを識別するように特に構成される。したがって、ＨＥＷ  ＳＴＡは無音化されない。しかしながら、レガシーＳＴＡ、たとえばＳＴＡ１０６Ａおよび１０６Ｂは、特定のＭＡＣアドレスを識別するように構成されないので、レガシーＳＴＡは、代わりに、持続時間フィールド中の値に従ってそれらのＮＡＶを更新するよう命令される。このようにして、ワイヤレス媒体へのアクセスはＨＥＷ  ＳＴＡによる通信のために確保され得る。
【００７３】
[0088]いくつかの実装形態では、特定のＭＡＣアドレスは、さらに、以下の図５に関してより詳細に説明するように、追加の情報がフレーム中に存在することを示すために利用され得る。図５は、１つまたは複数のフィールドに追加される情報を示すＣＴＳフレームの一例を示す。たとえば、ＣＴＳフレーム５００は、ＰＨＹヘッダ５０２と、サービスフィールド５０５と、ＣＴＳ  ＭＡＣサービスデータユニット（ＭＰＤＵ）５０６と、任意選択でフィールド５０８とを含むことができる。一実装形態では、ＣＴＳ  ＭＤＰＵ５０６のアドレスフィールド中に特定のＭＡＣアドレスを含むことは、追加の情報がＣＴＳフレーム５００中に存在することを図１のＨＥＷ  ＳＴＡ１０６Ｃおよび１０６Ｄに示すことができる。たとえば、追加の情報はサービスフィールド５０５中に存在し得る。加えて、または代替として、追加の情報はＣＴＳ  ＭＰＤＵ５０６の後のフィールド５０８中に１つまたは複数のデータシンボルの形態で存在し得る。
【００７４】
[0089]ＣＴＳフレーム中でのその使用と同様に、特定のＭＡＣアドレスは、さらに、以下の図６に関してより詳細に説明するように、送信要求（ＲＴＳ）フレーム中に含まれ得る。図６は、送信要求（ＲＴＳ）フレームの一例を示す。ＲＴＳフレーム６００は、５つの異なるフィールド、すなわち、フレーム制御（ＦＣ）フィールド６０２と、持続時間フィールド６０４と、（受信機アドレス（ａ１）とも呼ばれる）受信機アドレス（ＲＡ）フィールド６０６と、（受信機アドレス（ａ２）とも呼ばれる）送信機アドレス（ＴＡ）フィールド６０８と、フレーム検査シーケンス（ＦＣＳ）フィールド６１０とを含む。図６はさらに、フィールド６０２、６０４、６０６、６０８および６１０の各々のオクテットでのサイズをそれぞれ２、２、６、６および４と示す。ＲＡフィールド６０６とＴＡフィールド６０８の両方は、４８ビット（６オクテット）値である、デバイスのフルＭＡＣアドレスを含む。ＲＴＳフレームの場合、ＲＡフィールド６０６中のＭＡＣアドレスは通常、ＲＴＳフレーム６００を受信するデバイスに対応するが、ＴＡフィールド６０８は通常、ＲＴＳフレーム６００を送信するデバイスに対応する。いくつかの実装形態では、特定のＭＡＣアドレスはまた、ＴＡフィールド（ａ２フィールド）６０８中に含まれ得る。そのような場合、ＲＴＳフレーム６００は、特定のＭＡＣアドレスを用いてデバイスによって送信されたように見える。ＲＡフィールド６０８は受信側ＳＴＡのユニキャストアドレスに設定され得る。ＲＴＳ／ＣＴＳ交換において、ＣＴＳのＲＡ（ａ１）アドレスはＲＴＳフレーム６００のＴＡ（ａ２）アドレスからコピーされ、このことは、特定のＭＡＣアドレスがＲＴＳフレーム６００のＴＡ（ａ２）フィールド６０８中に存在したとき、そのアドレスがＣＴＳフレームにコピーされることを暗に示す。ＲＴＳフレーム６００のＴＡ（ａ２）フィールド６０８中の特定のＭＡＣアドレスの存在は、ＨＥＷ  ＳＴＡ１０６Ｃおよび１０６ＤにとってのＲＴＳフレーム６００の特殊な意味を示すことができるが、レガシーＳＴＡ１０６Ａおよび１０６Ｂは、ＲＴＳフレーム６００を通常のＲＴＳフレームとしてパースする。したがって、ＲＴＳ／ＣＴＳ交換におけるＲＴＳとＣＴＳの両方は、特定のアドレスがＲＴＳとＣＴＳの両方に存在していたので、ＲＴＳおよび／またはＣＴＳを受信したＨＥＷ  ＳＴＡによって特殊な意味に従って解釈されるが、レガシーＳＴＡは、レガシーＳＴＡが特定のアドレスを認識しないので、受信されたＲＴＳおよび／またはＣＴＳの持続時間フィールド中の値に従ってそれらのＮＡＶを更新する。一般的なルールは、受信されたフレーム中に存在するアドレスフィールドのうちのいずれか１つにおける特定のＭＡＣアドレスを認識する受信機が、（規格によってまたはピアデバイスによって）特定のＭＡＣアドレスについて指定されたルールに従ってフレームをパースするということである。
【００７５】
[0090]いくつかの実装形態では、レガシー制御フレーム中に存在しない情報を搬送する新しい制御フレームを定義することが望ましい場合があるが、新しい制御フレームは依然として、レガシー制御フレームが処理されるようにレガシーワイヤレスデバイスによって処理される。１つのそのような解決策は、第１のＭＡＣアドレスと第２のＭＡＣアドレスの両方を特定のワイヤレスデバイスに関連付けることを含むことができる。第１のＭＡＣアドレスを含むフレームが特定のワイヤレスデバイスによって受信されるとき、特定のワイヤレスデバイスは、第１の規格、たとえば８０２．１１ｂ規格に従ってフレームを処理することができる。しかしながら、第２のＭＡＣアドレスを含むフレームが特定のワイヤレスデバイスによって受信されるとき、特定のワイヤレスデバイスは、第２の規格、たとえば、８０２．１１ａｃに従ってフレームを処理することができる。そのような場合、第２のＭＡＣアドレスを含むフレームは、第１のＭＡＣアドレスを含むフレームとは別様にパースされ得る。一実装形態では、第１のＭＡＣアドレスは、アドレス解決の目的で、たとえばアドレス解決プロトコル（ＡＲＰ）を使用するためにアドレスが要求されるときに提供されるアドレスであり得る。そのような実装形態では、第１のＭＡＣアドレスは、任意の送信上でソースアドレス（ＳＡ）として使用され得る。別の実装形態では、第１のＭＡＣアドレスはデータフレームに利用され得るが、第２のＭＡＣアドレスは制御フレームに利用され得る。第２のＭＡＣアドレスは、管理フレーム中で、たとえば、管理フレーム内の情報要素として明示的に通信され得る。
【００７６】
[0091]いくつかの実装形態では、そのような第２のＭＡＣアドレスは、定義済みのルールを介して第１のＭＡＣアドレスから導出され得る。たとえば、第２のＭＡＣアドレスは、第２のＭＡＣアドレスが第１のＭＡＣアドレスのグループアドレスバージョンになるように、第１のＭＡＣアドレスの個別／グループ（Ｉ／Ｇ）アドレスビットを１に設定することによって、形成され得る。別の実装形態では、第２のＭＡＣアドレスは、第２のＭＡＣアドレスが第１のＭＡＣアドレスのローカル管理バージョンになるように、第１のＭＡＣアドレスのユニバーサル／ローカル（Ｕ／Ｌ）管理アドレスビットを１に設定することによって、形成され得る。また別の実装形態では、第２のＭＡＣアドレスは、第２のＭＡＣアドレスが第１のＭＡＣアドレスのローカル管理グループアドレスバージョンになるように、第１のＭＡＣアドレスのＩ／ＧビットとＵ／Ｌビットの両方を１に設定することによって、形成され得る。また別の実装形態では、第２のＭＡＣアドレスは、第１のＭＡＣアドレスの最下位アドレスビットをフリップすることによって、したがって、特定のワイヤレスデバイスが２つのグローバル管理ＭＡＣアドレスを有することを示すことによって、形成され得る。また別の実装形態では、第２のＭＡＣアドレスは、第１のＭＡＣアドレスの所定のビットをフリップすることによって、形成され得る。たとえば、第１のＭＡＣアドレスが必ず、０に設定された最下位ビットまたは他の所定のアドレスビットを有するという慣習により、第２のＭＡＣアドレスの最下位アドレスビット、または何らかの他の所定のアドレスビットは、１に設定され得る。代替的に、第１のＭＡＣアドレスが必ず、１に設定された最下位ビットまたは他の所定のアドレスビットを有するという慣習により、第２のＭＡＣアドレスは、最下位アドレスビットまたは何らかの他の所定のアドレスビットを０に設定することによって、形成され得る。
【００７７】
[0092]図７は、本明細書で説明するいくつかの実施形態による、レガシーデバイスと高効率ワイヤレス（ＨＥＷ）デバイスとを含むＩＥＥＥ８０２．１１ワイヤレス通信システムにおけるワイヤレス通信のための例示的な方法７００のフローチャートである。メッセージは、ＡＰ１０４によって、図１に示すＳＴＡ１０６Ａ〜１０６Ｄのうちの１つまたは複数に送信され得る。加えて、図２に示すワイヤレスデバイス２０２は、上記で説明したように、ＡＰ１０４のより詳細な図を表すことができる。したがって、一実装形態では、フローチャート７００におけるステップのうちの１つまたは複数は、図２のプロセッサ２０４および送信機２１０などのプロセッサおよび／または送信機によって実行されるか、またはそれらに関連し得るが、本明細書で説明するステップのうちの１つまたは複数を実装するために他の構成要素が使用され得ることを当業者は諒解されよう。ブロックについてある順序で行われるものとして説明することがあるが、ブロックは並べ替えられ得、ブロックは省略され得、および／またはさらなるブロックが追加され得る。
【００７８】
[0093]動作ブロック７０２では、ＡＰ１０４またはＳＴＡ１０６は、送信可メッセージ中の持続時間フィールドに従って関連するネットワーク割振りベクトル（ＮＡＶ）を更新しないよう命令するものとしてＨＥＷデバイスによって識別可能である特定の媒体アクセス制御（ＭＡＣ）アドレスを含む送信可（ＣＴＳ）メッセージを生成することができる。アドレスは、レガシーデバイスが持続時間フィールドに従って関連するネットワーク割振りベクトルを更新するよう命令されるように、レガシーデバイスによって識別可能ではない。たとえば、図１に関して、ＡＰ１０４は、少なくともＳＴＡ１０６Ｃおよび１０６Ｄが、ＣＴＳメッセージ中の持続時間フィールドに従って関連するＮＡＶを更新しないようＳＴＡ１０６Ｃおよび１０６Ｄに命令するものとして特定のＭＡＣアドレスを識別することができるような、特定のＭＡＣアドレスを含むＣＴＳメッセージを生成することができる。特定のＭＡＣアドレスは、ＳＴＡ１０６Ｃおよび１０６Ｄによって識別可能であるようには少なくともＳＴＡ１０６Ａおよび１０６Ｂによって識別可能ではないので、ＳＴＡ１０６Ａおよび１０６Ｂは従来通り、ＣＴＳメッセージ中の持続時間フィールドに従ってそれらの関連するＮＡＶを更新するよう命令される。そのような実装形態では、ＣＴＳメッセージがＡＰ１０４によって送信され、ＳＴＡ１０６によって受信されると、少なくともＳＴＡ１０６Ａおよび１０６Ｂは、ＣＴＳメッセージの持続時間の間、無音化され、したがって、少なくともＳＴＡ１０６Ｃおよび１０６Ｄのために媒体へのアクセスを確保することができる。
【００７９】
[0094]動作ブロック７０４では、ＡＰ１０４またはＳＴＡ１０６はメッセージを送信し、それによって、通信の受信を部分的に保護することができる。たとえば、上記で説明したように、ＳＴＡ１０６Ｃおよび１０６ＤはそれらのＮＡＶを更新しないよう命令されるので、ＳＴＡ１０６Ｃおよび１０６Ｄは無音化されないが、レガシーデバイスであるＳＴＡ１０６Ａおよび１０６ＢはそれらのＮＡＶを更新し、ＣＴＳメッセージの持続時間の間、無音化し、したがって、少なくともＳＴＡ１０６Ｃおよび１０６Ｄのために媒体へのアクセスを確保する。
【００８０】
[0095]図８は、一実装形態による、レガシーデバイスと高効率ワイヤレス（ＨＥＷ）デバイスとを含むＩＥＥＥ８０２．１１ワイヤレス通信システムにおけるワイヤレス通信のための装置のいくつかの例示的な態様の簡略ブロック図である。装置は図８に示すよりも多くの構成要素を有することができることを当業者は諒解されよう。装置８００は、特許請求の範囲内の実装形態のいくつかの顕著な特徴を説明するのに有用なそれらの構成要素を含むに過ぎない。一実装形態では、装置８００は、図７において上記に示した方法７００を実行するように構成される。装置８００は図１に示すＡＰ１０４を含むことができ、ＡＰ１０４は図２に示すワイヤレスデバイス２０２としてより詳細に示され得る。
【００８１】
[0096]装置８００は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージの送信を構成するための手段８０２を含む。いくつかの実装形態では、手段８０２は、図７のブロック７０２に関して上記で説明した機能のうちの１つまたは複数を実行するように構成され得る。手段８０２は、たとえば、少なくとも図２に示すプロセッサ２０４を含むことができる。
【００８２】
[0097]装置８００は、メッセージを送信し、それによって、通信の受信を部分的に保護するための手段８０４をさらに含むことができる。いくつかの実装形態では、手段８０４は、図７のブロック７０４に関して上記で説明した機能のうちの１つまたは複数を実行するように構成され得る。手段８０４は、たとえば、少なくとも図２に示す送信機２１０を含むことができる。
専用ＣＴＳフレームを使用した専用プロトコル間隔の保護
[0098]再び図１を参照すると、様々な実施形態では、ＡＰ１０４および／またはＳＴＡ１０６Ａ〜１０６Ｄは、特定の通信または特定のタイプの通信のみが許可される専用プロトコル間隔（ＤＰＩ：dedicated protocol interval）を定義するように構成され得る。様々な実施形態では、たとえば、ＤＰＩは、レガシー送信が許可されない間隔を含むことができる。ＤＰＩは、ＤＰＩの開始時間、ＤＰＩの終了時間、ＤＰＩの長さ、ＤＰＩの周期、フレームがＤＰＩ告知フレームであるという識別情報、プロトコル指示などのうちの１つまたは複数を示すことができるＤＰＩ告知（ＤＰＩＡ：DPI announcement）フレーム中で通信され得る。様々な実施形態では、ＤＰＩ告知は、ＤＰＩのプロトコルまたは別のプロトコルに従って送信され得る（たとえば、１つまたは複数のレガシーデバイスと互換性がない帯域幅および／または符号化を含むＨＥＷ送信であり得る）。しかしながら、様々な実施形態では、たとえば、１つまたは複数の潜在的に干渉するＳＴＡが範囲外にあるので、あるいはそのＳＴＡがＤＰＩ告知を復号する機能をもたないレガシーＳＴＡであるので、そのＳＴＡはＤＰＩ告知を復号しないことがある。したがって、干渉送信からＤＰＩの少なくとも一部分を保護することが望ましい場合がある。本明細書で説明する様々な実施形態では、上記で説明した専用ＣＴＳは、ＤＰＩを少なくとも部分的に保護するために使用され得る。特に、ＤＰＩ告知を受信するＳＴＡは、ＤＰＩと少なくとも部分的に重複するＮＡＶを示す専用ＣＴＳを送信することができる。上記で説明した専用ＣＴＳに関してＤＰＩ保護について本明細書で説明するが、ワイヤレス媒体確保のための他の通信が使用され得ることを当業者は諒解されよう。
【００８３】
[0099]図９は、一実施形態による、図１のワイヤレス通信システム１００における様々な通信を示すタイミング図９００である。タイミング図９００に示すように、ＨＥＷ  ＳＴＡ１０６Ａ〜１０６Ｄ間の通信は順次、左から右に進む。各通信は、（ボックスで示す）送信機から始まり、（矢印で示す）受信機によって受信される線として示されている。受信されない通信は、通信を貫く対角線で示されている。タイミング図９００は図１に示すデバイス構成を指しているが、図示の様々なデバイスの省略または他のデバイスの追加を含む他の構成が考えられる。たとえば、様々な実施形態では、ＨＥＷ  ＳＴＡ１０６ＤはレガシーＳＴＡで置き換えられ得る。さらに、タイミング図９００について特定の順序に関して本明細書で説明するが、様々な実施形態では、本明細書で示す通信は、異なる順序で実行されるか、または省略され得、さらなる通信が追加され得る。たとえば、様々な実施形態では、肯定応答（ＡＣＫ）フレームおよび／または終了フレームを含む１つまたは複数の制御フレームが追加または省略され得る。
【００８４】
[00100]図９に示すように、ＳＴＡ１０６ＡはＤＰＩ９０５を決定する。たとえば、ＳＴＡ１０６Ａは、ＤＰＩ９０５の間に送信のためのデータを有することができる。様々な実施形態では、そのようなデータは、レガシーＳＴＡによって検出可能ではないＨＥＷプロトコルを含むことができる。いくつかの実施形態では、ＳＴＡ１０６Ａは、それ自体の送信のためにＤＰＩ９０５全体を確保することができる。他の実施形態では、ＳＴＡ１０６Ａは、ＤＰＩ９０５の間に他のＳＴＡと競合することがある。
【００８５】
[00101]ＳＴＡ１０６Ａは、ＤＰＩ告知９１０Ａを生成することができる。一実施形態では、ＳＴＡ１０６Ａは、ＤＰＩ告知９１０Ａを送信する前に、バックオフ機構９１５を介してワイヤレス媒体をめぐって競合する。図９に示すように、ＳＴＡ１０６Ｂおよび１０６ＣはＤＰＩ告知９１０Ａを受信するが、ＳＴＡ１０６Ｄは受信しない。いくつかの実施形態では、ＳＴＡ１０６Ｄは範囲外にあるか干渉信号を受信するのでＤＰＩ告知９１０Ａを受信しない。いくつかの実施形態では、ＳＴＡ１０６ＤはレガシーＳＴＡであり、ＤＰＩ告知を復号または解釈するように構成されていないので、ＤＰＩ告知９１０Ａを受信しない。いくつかの実施形態では、ＳＴＡ１０６ＤはＤＰＩ告知９１０Ａの送信の間に送信中であるので、ＤＰＩ告知９１０Ａを受信しない。
【００８６】
[00102]ＳＴＡ１０６Ｂおよび１０６Ｃは、ＤＰＩ告知９１０Ａに基づいてＤＰＩ９０５を決定することができる。各ＳＴＡ１０６Ａ〜１０６Ｃは、ＤＰＩ告知９１０Ａの終了の後、ＮＡＶ９５０を示す専用ＣＴＳ９２５Ａ〜９２５Ｃを送信する前に、所定のまたは動的に決定された時間量９２０を待機することができる。専用ＣＴＳ９２５Ａ〜９２５Ｃは別々に送信され得るが、これらは同一（たとえば、ＮＡＶが設定されるべきではないことをいくつかの非レガシーデバイスに示すことができる、同じ定義済みの受信機または宛先アドレスを含む）であり得る。専用ＣＴＳ９２５Ａ〜９２５Ｃが同一であり得るので、これらは並行して送信され、２つ以上の専用ＣＴＳ９２５Ａ〜９２５Ｃを同時に受信するデバイスにおいて依然として復号可能であり得る。そのような同時受信は、受信機においては、現行のワイヤレス送信でよく生じる反映であるように見える。様々な実施形態では、時間９２０は、様々な実施形態ではできるだけ短くすることができる、分散されたＣＴＳフレーム間スペース（ＤＣＩＦＳ：distributed CTS inter-frame space）を含むことができる。たとえば、ＤＣＩＦＳはショートフレーム間スペース（ＳＩＦＳ）よりも短くてもよい。他の実施形態では、時間９２０は別のフレーム間スペースであり得るか、または省略され得る。いくつかの実施形態では、定義済みの受信機または宛先アドレスはＤＰＩに関連付けられ得る。他の実施形態では、複数の定義済みの受信機または宛先アドレスはＤＰＩに関連付けられ得、ＤＰＩは、複数の定義済みの受信機または宛先アドレスのうちのどれが専用ＣＴＳにおいて使用されるべきかを定義するインデックスを含むことができる。
【００８７】
[00103]図９に示すように、ＳＴＡ１０６ＤはＳＴＡ１０６Ｃから専用ＣＴＳ９２５Ｃを受信する。様々な実施形態では、ＳＴＡ１０６ＤがＳＴＡ１０６Ｃの範囲内にあるので、ＳＴＡ１０６Ｄは専用ＣＴＳ９２５Ｃを復号することができる。様々な実施形態では、専用ＣＴＳ９２５Ｃがレガシーフレームを含むので、ＳＴＡ１０６Ｄは専用ＣＴＳ９２５Ｃを復号することができる。様々な実施形態では、ＳＴＡ１０６Ｄが専用ＣＴＳ９２５Ｃの送信の間に送信中ではないので、ＳＴＡ１０６Ｄは専用ＣＴＳ９２５Ｃを復号することができる。様々な実施形態では、ＳＴＡ１０６Ｄは複数の専用ＣＴＳ９２５Ａ〜９２５Ｃを受信することができるが、これらを単一の専用ＣＴＳ（またはそれらの反映）として解釈することがある。
【００８８】
[00104]さらに図９を参照すると、ＳＴＡ１０６Ｄは専用ＣＴＳ９２５Ｃに基づいてＮＡＶ９５０を設定する。様々な実施形態では、ＮＡＶ９５０はＤＰＩ９０５の持続時間を含むことができる。たとえば、ＮＡＶ９５０はＤＰＩ９０５と同時に開始および終了することができる。いくつかの実施形態では、ＮＡＶ９５０はＤＰＩ９０５より長くてもよい。いくつかの実施形態では、ＮＡＶ９５０は部分的にのみＤＰＩ９０５と重複してもよい。様々な実施形態では、ＳＴＡ１０６Ａ〜１０６Ｃは専用ＣＴＳ９２５Ａ〜９２５Ｃの範囲内にあり得るが、同時送信の間に専用ＣＴＳ９２５Ａ〜９２５Ｃを復号しないことがある。
【００８９】
[00105]いくつかの実施形態では、ＳＴＡ１０６Ｄは本明細書で説明するようにＮＡＶ９５０を設定しないことがある。たとえば、ＳＴＡ１０６ＤはＤＰＩ９０５の間に通信することが可能なＨＥＷ  ＳＴＡであり得る。いくつかの実施形態では、ＮＡＶ９５０はＤＰＩ９０５を示すことができる。したがって、ＳＴＡ１０６Ｄは、ＤＰＩ９０５の間に、送信をめぐって競合することがある。ＳＴＡ１０６ＤがＤＰＩ９０５の間に参加する様々な実施形態では、ＳＴＡ１０６Ｄは、参加する前に、ＮＡＶ９５０を設定するそれ自体の専用ＣＴＳを送信することができる。
【００９０】
[00106]ＳＴＡ１０６Ａ〜１０６Ｃは、専用ＣＴＳ９２５Ａ〜９２５Ｃを送信した後、ＤＰＩ告知９１０Ａに従ってＤＰＩ９０５に参加することができる。いくつかの実施形態では、たとえば、ＳＴＡ１０６Ａ〜１０６Ｃは、ＤＰＩ９０５の間に、送信をめぐって競合することがある。他の実施形態では、ＤＰＩ告知９１０ＡはＳＴＡ１０６ＡのためにＤＰＩ９０５を確保することができ、ＳＴＡ１０６Ｂおよび１０６ＣはＤＰＩ９０５の間に送信するのを控えることができる。様々な他の実施形態では、ＤＰＩ告知９１０Ａは、１つまたは複数の特定の送信、送信側デバイス、および／または送信のクラスもしくはタイプについて、ＤＰＩ９０５を定義することができる。
【００９１】
[00107]図９に示すように、ＳＴＡ１０６ＤはＳＴＡ１０６Ｃから専用ＣＴＳ９２５Ｃを受信する。しかしながら、いくつかの実施形態では、ＳＴＡ１０６Ｄは専用ＣＴＳ９２５Ｃを受信しないことがある。いくつかの実施形態では、専用ＣＴＳ９２５Ｃの送信の間の別の干渉送信のせいで、ＳＴＡ１０６Ｄは専用ＣＴＳ９２５Ｃを受信しない。いくつかの実施形態では、ＳＴＡ１０６Ｄは、図１０において以下に示すように、専用ＣＴＳ９２５Ｃの送信の間に送信中であるので、専用ＣＴＳ９２５Ｃを受信しない。
【００９２】
[00108]図１０は、一実施形態による、図１のワイヤレス通信システム１００における様々な通信を示す別のタイミング図１０００である。タイミング図１０００に示すように、ＨＥＷ  ＳＴＡ１０６Ａ〜１０６Ｄ間の通信は順次、左から右に進む。各通信は、（ボックスで示す）送信機から始まり、（矢印で示す）受信機によって受信される線として示されている。受信されない通信は、通信を貫く対角線で示されている。タイミング図１０００は図１に示すデバイス構成を指しているが、図示の様々なデバイスの省略または他のデバイスの追加を含む他の構成が考えられる。たとえば、様々な実施形態では、ＨＥＷ  ＳＴＡ１０６ＤはレガシーＳＴＡで置き換えられ得る。さらに、タイミング図１０００について特定の順序に関して本明細書で説明するが、様々な実施形態では、本明細書で示す通信は、異なる順序で実行されるか、または省略され得、さらなる通信が追加され得る。たとえば、様々な実施形態では、肯定応答（ＡＣＫ）フレームおよび／または終了フレームを含む１つまたは複数の制御フレームが追加または省略され得る。
【００９３】
[00109]図１０に示すように、ＳＴＡ１０６ＡはＤＰＩ１００５を決定する。たとえば、ＳＴＡ１０６Ａは、ＤＰＩ１００５の間に送信のためのデータを有することができる。様々な実施形態では、そのようなデータは、レガシーＳＴＡによって検出可能ではないＨＥＷプロトコルを含むことができる。いくつかの実施形態では、ＳＴＡ１０６Ａは、それ自体の送信のためにＤＰＩ１００５全体を確保することができる。他の実施形態では、ＳＴＡ１０６Ａは、ＤＰＩ１００５の間に他のＳＴＡと競合することがある。
【００９４】
[00110]ＳＴＡ１０６Ａは、ＤＰＩ告知１０１０Ａを生成することができる。一実施形態では、ＳＴＡ１０６Ａは、ＤＰＩ告知１０１０Ａを送信する前に、バックオフ機構１０１５を介してワイヤレス媒体をめぐって競合する。図１０に示すように、ＳＴＡ１０６Ｂおよび１０６ＣはＤＰＩ告知１０１０Ａを受信するが、ＳＴＡ１０６Ｄは受信しない。図示の実施形態では、ＳＴＡ１０６ＤはＤＰＩ告知１０１０Ａの送信の間に通信１０２２を送信中であるので、ＤＰＩ告知１０１０Ａを受信しない。いくつかの実施形態では、ＳＴＡ１０６Ｄは範囲外にあるか干渉信号を受信するのでＤＰＩ告知１０１０Ａを受信しない。いくつかの実施形態では、ＳＴＡ１０６ＤはレガシーＳＴＡであり、ＤＰＩ告知を復号または解釈するように構成されていないので、ＤＰＩ告知１０１０Ａを受信しない。
【００９５】
[00111]ＳＴＡ１０６Ｂおよび１０６Ｃは、ＤＰＩ告知１０１０Ａに基づいてＤＰＩ１００５を決定することができる。各ＳＴＡ１０６Ａ〜１０６Ｃは、ＤＰＩ告知１０１０Ａの終了の後、ＮＡＶ１０５０を示す専用ＣＴＳ１０２５Ａ〜１０２５Ｃを送信する前に、所定のまたは動的に決定された時間量１０２０を待機することができる。専用ＣＴＳ１０２５Ａ〜１０２５Ｃは別々に送信され得るが、これらは同一（たとえば、ＮＡＶが設定されるべきではないことをいくつかの非レガシーデバイスに示すことができる、同じ定義済みの宛先アドレスを含む）であり得る。様々な実施形態では、時間１０２０は、様々な実施形態ではできるだけ短くすることができる、分散された協調機能フレーム間スペース（ＤＣＩＦＳ：distributed coordination function inter-frame space）を含むことができる。たとえば、ＤＣＩＦＳはショートフレーム間スペース（ＳＩＦＳ）よりも短くてもよい。他の実施形態では、時間１０２０は別のフレーム間スペースであり得るか、または省略され得る。
【００９６】
[00112]図示のように、ＳＴＡ１０６Ｄは専用ＣＴＳ１０２５Ａ〜１０２５Ｃの送信の間に通信１０２２を送信中であるので、専用ＣＴＳ１０２５Ａ〜１０２５Ｃを受信しない。いくつかの実施形態では、ＳＴＡ１０６Ｄは範囲外にあるか干渉信号を受信するので専用ＣＴＳ１０２５Ａ〜９２５Ｃを受信しない。したがって、ＳＴＡ１０６Ａ〜１０６Ｃが１つまたは複数の追加の専用ＣＴＳを送信し、それによって、近くのＳＴＡに到達し、ＤＰＩ１００５を保護する機会を増やすことが望ましい場合がある。
【００９７】
[00113]各ＳＴＡ１０６Ａ〜１０６Ｃは、専用ＣＴＳ１０２５Ａ〜１０２５Ｃの終了の後、ＮＡＶ１０５０を示す追加の専用ＣＴＳ１０３５Ａ〜１０３５Ｃを送信する前に、所定のまたは動的に決定された時間量１０３０を待機することができる。専用ＣＴＳ１０３５Ａ〜１０３５Ｃは別々に送信され得るが、これらは同一（たとえば、ＮＡＶが設定されるべきではないことをいくつかの非レガシーデバイスに示すことができる、同じ定義済みの宛先アドレスを含む）であり得る。様々な実施形態では、時間１０３０は、コンテンションウィンドウフレーム間スペース（ＣＩＦＳ）を含むことができる。他の実施形態では、時間１０３０は別のフレーム間スペースであり得るか、または省略され得る。
【００９８】
[00114]図１０に示すように、ＳＴＡ１０６ＤはＳＴＡ１０６Ｃから専用ＣＴＳ１０３５Ｃを受信する。図示の実施形態では、ＳＴＡ１０６Ｄがもはや通信１０２２を送信中ではないので、ＳＴＡ１０６Ｄは専用ＣＴＳ１０３５Ｃを復号することができる。様々な実施形態では、ＳＴＡ１０６ＤがＳＴＡ１０６Ｃの範囲内にあるので、ＳＴＡ１０６Ｄは専用ＣＴＳ１０３５Ｃを復号することができる。様々な実施形態では、ＳＴＡ１０６Ｄは複数の専用ＣＴＳ１０３５Ａ〜１０３５Ｃを受信することができるが、これらを単一の専用ＣＴＳ（またはそれらのエコー）として解釈することがある。
【００９９】
[00115]さらに図１０を参照すると、ＳＴＡ１０６Ｄは専用ＣＴＳ１０３５Ｃに基づいてＮＡＶ１０５０を設定する。様々な実施形態では、ＮＡＶ１０５０はＤＰＩ１００５の持続時間を含むことができる。たとえば、ＮＡＶ１０５０はＤＰＩ１００５と同時に開始および終了することができる。いくつかの実施形態では、ＮＡＶ１０５０はＤＰＩ１００５より長くてもよい。いくつかの実施形態では、ＮＡＶ１０５０は部分的にのみＤＰＩ１００５と重複してもよい。様々な実施形態では、ＳＴＡ１０６Ａ〜１０６Ｃは専用ＣＴＳ１０３５Ａ〜１０３５Ｃの範囲内にあり得るが、同時送信の間に専用ＣＴＳ１０３５Ａ〜１０３５Ｃを復号しないことがある。
【０１００】
[00116]いくつかの実施形態では、ＳＴＡ１０６Ｄは本明細書で説明するようにＮＡＶ１０５０を設定しないことがある。たとえば、ＳＴＡ１０６ＤはＤＰＩ１００５の間に通信することが可能なＨＥＷ  ＳＴＡであり得る。いくつかの実施形態では、ＮＡＶ１０５０はＤＰＩ１００５を示すことができる。したがって、ＳＴＡ１０６Ｄは、ＤＰＩ１００５の間に、送信をめぐって競合することがある。ＳＴＡ１０６ＤがＤＰＩ１００５の間に参加する様々な実施形態では、ＳＴＡ１０６Ｄは、参加する前に、ＮＡＶ１０５０を設定するそれ自体の専用ＣＴＳを送信することができる。
【０１０１】
[00117]様々な実施形態では、ＳＴＡ１０６Ａ〜１０６Ｃは１つまたは複数の追加のＣＴＳ１０６０を送信することができる。たとえば、ＳＴＡ１０６Ａ〜１０６Ｃは、専用ＣＴＳ１０３５Ａ〜１０３５Ｃの終了の後、ＮＡＶ１０５０を示す１つまたは複数の追加の専用ＣＴＳ１０６０を送信する前に、所定のまたは動的に決定された時間量を再び待機することができる。様々な実施形態では、時間は、コンテンションウィンドウフレーム間スペース（ＣＩＦＳ）を含むことができる。他の実施形態では、時間は別のフレーム間スペースであり得るか、または省略され得る。
【０１０２】
[00118]ＳＴＡ１０６Ａ〜１０６Ｃは、専用ＣＴＳ１０３５Ａ〜１０３５Ｃを送信した後、ＤＰＩ告知１０１０Ａに従ってＤＰＩ１００５に参加することができる。いくつかの実施形態では、たとえば、ＳＴＡ１０６Ａ〜１０６Ｃは、ＤＰＩ１００５の間に、送信をめぐって競合することがある。他の実施形態では、ＤＰＩ告知１０１０ＡはＳＴＡ１０６ＡのためにＤＰＩ１００５を確保することができ、ＳＴＡ１０６Ｂおよび１０６ＣはＤＰＩ１００５の間に送信するのを控えることができる。様々な他の実施形態では、ＤＰＩ告知１０１０Ａは、１つまたは複数の特定の送信、送信側デバイス、および／または送信のクラスもしくはタイプについて、ＤＰＩ１００５を定義することができる。
【０１０３】
[00119]図９〜図１０に示すように、ＳＴＡ１０６Ａ〜１０６Ｃは、ＤＰＩ告知フレームを介して専用ＣＴＳの送信を協調させることができる。様々な実施形態では、専用ＣＴＳの送信は他の方法で協調され得る。たとえば、図１０において以下で示すように、ＳＴＡ１０６Ａ〜１０６Ｃが時間同期するとき、専用ＣＴＳは事前にスケジュールされ得る。
【０１０４】
[00120]図１１は、一実施形態による、図１のワイヤレス通信システム１１０における様々な通信を示すタイミング図１１００である。タイミング図１１００に示すように、時間同期したＳＴＡ１０６Ａ〜１０６Ｄ間の通信は順次、左から右に進む。各通信は、（ボックスで示す）送信機から始まり、（矢印で示す）受信機によって受信される線として示されている。受信されない通信は、通信を貫く対角線で示されている。タイミング図１１００は図１に示すデバイス構成を指しているが、図示の様々なデバイスの省略または他のデバイスの追加を含む他の構成が考えられる。たとえば、様々な実施形態では、ＨＥＷ  ＳＴＡ１０６ＤはレガシーＳＴＡで置き換えられ得る。さらに、タイミング図１１００について特定の順序に関して本明細書で説明するが、様々な実施形態では、本明細書で示す通信は、異なる順序で実行されるか、または省略され得、さらなる通信が追加され得る。たとえば、様々な実施形態では、肯定応答（ＡＣＫ）フレームおよび／または終了フレームを含む１つまたは複数の制御フレームが追加または省略され得る。
【０１０５】
[00121]図１１に示すように、時間同期したＳＴＡ１０６Ａ〜１０６ＣはＤＰＩ１１０５を決定する。たとえば、ＤＰＩ１１０５の開始時間は、事前に記憶されるか、動的に決定されるか、または他の方法で事前に協調され得る。様々な実施形態では、ＳＴＡ１０６Ａ〜１０６Ｃは、ＤＰＩ１１０５の間に互いに競合することがある。他の実施形態では、ＳＴＡ１０６Ａ〜１０６Ｃは、送信スロット、交互のアクセスなどを使用して、ＤＰＩ１１０５の使用を協調させることができる。
【０１０６】
[00122]ＳＴＡ１０６Ａ〜１０６Ｃはまた、ＮＡＶ１１５０を示す専用ＣＴＳ１１２５Ａ〜１１２５Ｃの送信のための同期時間１１１０を決定することができる。専用ＣＴＳ１１２５Ａ〜１１２５Ｃは別々に送信され得るが、これらは同一（たとえば、ＮＡＶが設定されるべきではないことをいくつかの非レガシーデバイスに示すことができる、同じ定義済みの宛先アドレスを含む）であり得る。様々な実施形態では、時間１１１０は、１つまたは複数のスケジュールされた専用ＣＴＳ送信時間を含むことができる。
【０１０７】
[00123]図示のように、ＳＴＡ１０６Ｄは専用ＣＴＳ１１２５Ａ〜１１２５Ｃの送信の間に通信１１２２を送信中であるので、専用ＣＴＳ１１２５Ａ〜１１２５Ｃを受信しない。いくつかの実施形態では、ＳＴＡ１０６Ｄは範囲外にあるか干渉信号を受信するので専用ＣＴＳ１１２５Ａ〜９２５Ｃを受信しない。したがって、ＳＴＡ１０６Ａ〜１０６Ｃが１つまたは複数の追加の専用ＣＴＳを送信し、それによって、近くのＳＴＡに到達し、ＤＰＩ１１０５を保護する機会を増やすことが望ましい場合がある。
【０１０８】
[00124]図１１に示すように、ＳＴＡ１０６ＤはＳＴＡ１０６Ｃから専用ＣＴＳ１１２５Ｃを受信する。図示の実施形態では、専用ＣＴＳ１１２５Ｃがレガシーフォーマットを有するので、レガシーＳＴＡ１０６Ｄは専用ＣＴＳ１１２５Ｃを復号することができる。様々な実施形態では、ＳＴＡ１０６ＤがＳＴＡ１０６Ｃの範囲内にあるので、ＳＴＡ１０６Ｄは専用ＣＴＳ１１３５Ｃを復号することができる。様々な実施形態では、ＳＴＡ１０６Ｄは複数の専用ＣＴＳ１１３５Ａ〜１１３５Ｃを受信することができるが、これらを単一の専用ＣＴＳ（またはそれらのエコー）として解釈することがある。
【０１０９】
[00125]さらに図１１を参照すると、ＳＴＡ１０６Ｄは専用ＣＴＳ１１２５Ｃに基づいてＮＡＶ１１５０を設定する。様々な実施形態では、ＮＡＶ１１５０はＤＰＩ１１０５の持続時間を含むことができる。たとえば、ＮＡＶ１１５０はＤＰＩ１１０５と同時に開始および終了することができる。いくつかの実施形態では、ＮＡＶ１１５０はＤＰＩ１１０５より長くてもよい。いくつかの実施形態では、ＮＡＶ１１５０は部分的にのみＤＰＩ１１０５と重複してもよい。様々な実施形態では、ＳＴＡ１０６Ａ〜１０６Ｃは専用ＣＴＳ１１２５Ａ〜１１２５Ｃの範囲内にあり得るが、同時送信の間に専用ＣＴＳ１１２５Ａ〜１１２５Ｃを復号しないことがある。
【０１１０】
[00126]いくつかの実施形態では、ＳＴＡ１０６Ｄは本明細書で説明するようにＮＡＶ１１５０を設定しないことがある。たとえば、ＳＴＡ１０６ＤはＤＰＩ１１０５の間に通信することが可能なＨＥＷ  ＳＴＡであり得る。いくつかの実施形態では、ＮＡＶ１１５０はＤＰＩ１１０５を示すことができる。したがって、ＳＴＡ１０６Ｄは、ＤＰＩ１１０５の間に、送信をめぐって競合することがある。ＳＴＡ１０６ＤがＤＰＩ１１０５の間に参加する様々な実施形態では、ＳＴＡ１０６Ｄは、参加する前に、ＮＡＶ１１５０を設定するそれ自体の専用ＣＴＳを送信することができる。
【０１１１】
[00127]様々な実施形態では、ＳＴＡ１０６Ａ〜１０６Ｃは１つまたは複数の追加のＣＴＳ１０６０を送信することができる。たとえば、ＳＴＡ１０６Ａ〜１０６Ｃは、専用ＣＴＳ１１２５Ａ〜１１２５Ｃの終了の後、ＮＡＶ１１５０を示す１つまたは複数の追加の専用ＣＴＳ１０６０を送信する前に、所定のまたは動的に決定された時間量を待機することができる。様々な実施形態では、時間は、コンテンションウィンドウフレーム間スペース（ＣＩＦＳ）を含むことができる。他の実施形態では、時間は別のフレーム間スペースであり得るか、または省略され得る。
【０１１２】
[00128]ＳＴＡ１０６Ａ〜１０６Ｃは、専用ＣＴＳ１１２５Ａ〜１１２５Ｃを送信した後、ＤＰＩ告知１１１０Ａに従ってＤＰＩ１１０５に参加することができる。いくつかの実施形態では、たとえば、ＳＴＡ１０６Ａ〜１０６Ｃは、ＤＰＩ１１０５の間に、送信をめぐって競合することがある。他の実施形態では、以前に送信されたＤＰＩ告知（図示せず）はＳＴＡ１０６ＡのためにＤＰＩ１１０５を確保することができ、ＳＴＡ１０６Ｂおよび１０６ＣはＤＰＩ１１０５の間に送信するのを控えることができる。様々な他の実施形態では、ＤＰＩ告知は、１つまたは複数の特定の送信、送信側デバイス、および／または送信のクラスもしくはタイプについて、ＤＰＩ１１０５を定義することができる。
【０１１３】
[00129]図１２は、レガシーデバイスと高効率ワイヤレス（ＨＥＷ）デバイスとを含むＩＥＥＥ８０２．１１ワイヤレス通信システムにおけるワイヤレス通信の例示的な方法のフローチャート１２００である。フローチャート１２００の方法について、それぞれ、図１を参照して上記で説明したワイヤレス通信システム１００、図２を参照して上記で説明したワイヤレスデバイス２０２、ならびに図９〜図１１を参照して上記で説明したタイムライン９００、１０００、および１１００を参照して本明細書で説明するが、フローチャート１２００の方法は本明細書で説明する別のデバイス、任意の他の好適なデバイス、または複数のデバイスの任意の組合せによって実装され得ることを当業者は諒解されよう。一実施形態では、フローチャート１２００における１つまたは複数のステップは、プロセッサまたはコントローラによって実行され得る。フローチャート１２００の方法について特定の順序に関して本明細書で説明するが、様々な実施形態では、本明細書のブロックは、異なる順序で実行されるか、または省略され得、さらなるブロックが追加され得る。
【０１１４】
[00130]最初に、ブロック１２０２において、ワイヤレスデバイス２０２は、ＨＥＷプロトコルに従う通信のための第１の時間間隔を決定する。たとえば、ＳＴＡ１０６Ａ〜１０６Ｄのうちのいずれかは、ＤＰＩ９０５、１００５、および／または１１０５を決定することができる。様々な実施形態では、ＨＥＷプロトコルはＨＥＷプロトコルを含むことができる。様々な実施形態では、ＨＥＷプロトコルは１つまたは複数のレガシーデバイスによって復号可能ではない。
【０１１５】
[00131]次に、ブロック１２０４において、ワイヤレスデバイス２０２は、レガシープロトコルに従って、第１の時間間隔の間に通信の受信を少なくとも部分的に保護する第１の通信を送信する。たとえば、ＳＴＡ１０６Ａ〜１０６Ｄのうちのいずれかは、専用ＣＴＳ９２５Ａ〜９２５Ｃ、１０２５Ａ〜１０２５Ｃ、および／または１０２５Ａ〜１０２５Ｃを送信することができる。専用ＣＴＳ９２５Ａ〜９２５Ｃ、１０２５Ａ〜１０２５Ｃ、および／または１１２５Ａ〜１１２５Ｃは、ＮＡＶ９５０、１０５０、および／または１１５０を示すことができる。
【０１１６】
[00132]様々な実施形態では、ワイヤレスデバイス２０２は、第１の通信を再送信する前に、第２の時間間隔を待機するようにさらに構成され得る。たとえば、ＳＴＡ１０６Ａ〜１０６Ｄのうちのいずれかは、専用ＣＴＳ１０３５Ａ〜１０３５Ｃ、１０６０、１１６０を送信する前に、時間間隔１０３０を待機することができる。様々な実施形態では、第２の時間間隔は、コンテンションウィンドウフレーム間スペース（ＣＩＦＳ）を含むことができる。
【０１１７】
[00133]様々な実施形態では、ワイヤレスデバイス２０２は、レガシープロトコルに従って、第１の時間間隔の間に第２の通信を送信するように構成され得る。たとえば、ＳＴＡ１０６Ａ〜１０６Ｄのうちのいずれかは、ＤＰＩ９０５、１００５、および／または１１０５の間に送信をめぐって競合することがある。いくつかの実施形態では、１つのＳＴＡ１０６ＡのみがＤＰＩ９０５、１００５、および／または１１０５の間に送信することができる。
【０１１８】
[00134]様々な実施形態では、ワイヤレスデバイス２０２は、第１の通信を告知する第２の通信を送信するように構成され得る。ワイヤレスデバイスは、第２の通信を送信した後、第１の通信を送信する前に、第２の時間間隔を待機することができる。たとえば、ＳＴＡ１０６ＡはＤＰＩ告知１０１０Ａを送信することができ、専用ＣＴＳ１０２５Ａを送信する前に、ＤＣＩＦＳ１０２０を待機することができる。一実施形態では、ワイヤレスデバイス２０２は、ＤＰＩ告知１０２０を送信する前に、バックオフ期間１０１５などのバックオフ期間の間に競合する。様々な実施形態では、第２の時間間隔はショートフレーム間スペース（ＳＩＦＳ）よりも短くてもよい。
【０１１９】
[00135]様々な実施形態では、ワイヤレスデバイス２０２は、クロックを少なくとも１つの他のワイヤレスデバイスと少なくとも部分的に同期させ、第１の通信を送信する前に、同期した送信時間を待機するように構成され得る。たとえば、ＳＴＡ１０６Ａ〜１０６Ｄのうちのいずれかは、クロックを互いに同期させることができ、専用ＣＴＳ１１２５Ａ〜１１２５Ｃを送信する前に、時間１１１０を待機することができる。
【０１２０】
[00136]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。たとえば、専用ＣＴＳ９２５Ａ〜９２５Ｃ、１０２５Ａ〜１０２５Ｃ、１０３５Ａ〜１０３５Ｃ、１０６０、１１２５Ａ〜１１２５Ｃ、１１３５Ａ〜１１３５Ｃ、および／または１１６０は、図３〜図８に関して上記で説明した専用ＣＴＳのうちのいずれかを含むことができる。
【０１２１】
[00137]図１３は、レガシーデバイスと高効率ワイヤレス（ＨＥＷ）デバイスとを含むＩＥＥＥ８０２．１１ワイヤレス通信システムにおけるワイヤレス通信のための装置１３００の機能ブロック図である。ワイヤレス通信を検出するための装置は、図１３に示す簡略化された装置１３００よりも多くの構成要素を有することができることを当業者は諒解されよう。図示のレガシーデバイスと高効率ワイヤレス（ＨＥＷ）デバイスとを含むＩＥＥＥ８０２．１１ワイヤレス通信システムにおけるワイヤレス通信のための装置１３００は、特許請求の範囲内の実装形態のいくつかの顕著な特徴を説明するのに有用なそれらの構成要素を含んでいるに過ぎない。レガシーデバイスと高効率ワイヤレス（ＨＥＷ）デバイスとを含むＩＥＥＥ８０２．１１ワイヤレス通信システムにおけるワイヤレス通信のための装置１３００は、ＨＥＷプロトコルに従う通信のための第１の時間間隔を決定するための手段１３０２と、レガシープロトコルに従って、第１の時間間隔の間に通信の受信を少なくとも部分的に保護する第１の通信を送信するための手段１３０４とを含む。様々な実施形態では、装置１３００は、本明細書で説明する任意の他のブロックまたは機能を実行するための手段をさらに含むことができる。
【０１２２】
[00138]一実施形態では、ＨＥＷプロトコルに従う通信のための第１の時間間隔を決定するための手段１３０２は、ブロック１２０２（図１２）に関して上記で説明した機能のうちの１つまたは複数を実行するように構成され得る。様々な実施形態では、ＨＥＷプロトコルに従う通信のための第１の時間間隔を決定するための手段１３０２は、プロセッサ２０４（図２）、メモリ２０６（図２）、信号検出器２１８（図２）、ＤＳＰ２２０（図２）、受信機２１２（図２）、トランシーバ２１４（図２）、および／またはアンテナ２１６（図２）のうちの１つまたは複数によって実装され得る。
【０１２３】
[00139]一実施形態では、レガシープロトコルに従って、第１の時間間隔の間に通信の受信を少なくとも部分的に保護する第１の通信を送信するための手段１３０４は、ブロック１２０４（図１２）に関して上記で説明した機能のうちの１つまたは複数を実行するように構成され得る。様々な実施形態では、レガシープロトコルに従って、第１の時間間隔の間に通信の受信を少なくとも部分的に保護する第１の通信を送信するための手段１３０４は、プロセッサ２０４（図２）、メモリ２０６（図２）、信号検出器２１８（図２）、ＤＳＰ２２０（図２）、送信機２１０（図２）、トランシーバ２１４（図２）、および／またはアンテナ２１６（図２）のうちの１つまたは複数によって実装され得る。
【０１２４】
[00140]図１４は、レガシーデバイスと高効率ワイヤレス（ＨＥＷ）デバイスとを含むＩＥＥＥ８０２．１１ワイヤレス通信システムにおけるワイヤレス通信の別の例示的な方法のフローチャート１４００である。フローチャート１４００の方法について、それぞれ、図１を参照して上記で説明したワイヤレス通信システム１００、図２を参照して上記で説明したワイヤレスデバイス２０２、ならびに図９〜図１１を参照して上記で説明したタイムライン９００、１０００、および１１００を参照して本明細書で説明するが、フローチャート１４００の方法は本明細書で説明する別のデバイス、任意の他の好適なデバイス、または複数のデバイスの任意の組合せによって実装され得ることを当業者は諒解されよう。一実施形態では、フローチャート１４００における１つまたは複数のステップは、プロセッサまたはコントローラによって実行され得る。フローチャート１４００の方法について特定の順序に関して本明細書で説明するが、様々な実施形態では、本明細書のブロックは、異なる順序で実行されるか、または省略され得、さらなるブロックが追加され得る。
【０１２５】
[00141]最初に、ブロック１４０２において、ワイヤレスデバイス２０２は、第２の通信を告知する第１の通信を受信する。たとえば、ＳＴＡ１０６Ｃは、ＤＰＩ告知１０１０Ａを受信することができる。様々な実施形態では、ワイヤレスデバイス２０２は、第１の通信を受信した後、第２の通信を送信する前に、第２の時間間隔を待機することができる。たとえば、ＳＴＡ１０６Ｃは、専用ＣＴＳ１０２５Ａを送信する前に、ＤＣＩＦＳ１０２０を待機することができる。
【０１２６】
[00142]次に、ブロック１４０４において、ワイヤレスデバイス２０２は、ＨＥＷプロトコルに従う通信のための第１の時間間隔を決定する。たとえば、ＳＴＡ１０６Ａ〜１０６Ｄのうちのいずれかは、ＤＰＩ９０５、１００５、および／または１１０５を決定することができる。様々な実施形態では、ＨＥＷプロトコルはＨＥＷプロトコルを含むことができる。様々な実施形態では、ＨＥＷプロトコルは１つまたは複数のレガシーデバイスによって復号可能ではない。
【０１２７】
[00143]次いで、ブロック１４０６において、ワイヤレスデバイス２０２は、レガシープロトコルに従って、第１の時間間隔の間に通信の受信を少なくとも部分的に保護するための第２の通信を送信する。たとえば、ＳＴＡ１０６Ａ〜１０６Ｄのうちのいずれかは、専用ＣＴＳ９２５Ａ〜９２５Ｃ、１０２５Ａ〜１０２５Ｃ、および／または１０２５Ａ〜１０２５Ｃを送信することができる。専用ＣＴＳ９２５Ａ〜９２５Ｃ、１０２５Ａ〜１０２５Ｃ、および／または１１２５Ａ〜１１２５Ｃは、ＮＡＶ９５０、１０５０、および／または１１５０を示すことができる。
【０１２８】
[00144]様々な実施形態では、ワイヤレスデバイス２０２は、第２の通信を再送信する前に、第２の時間間隔を待機するようにさらに構成され得る。たとえば、ＳＴＡ１０６Ａ〜１０６Ｄのうちのいずれかは、専用ＣＴＳ１０３５Ａ〜１０３５Ｃ、１０６０、１１６０を送信する前に、時間間隔１０３０を待機することができる。様々な実施形態では、第２の時間間隔は、コンテンションウィンドウフレーム間スペース（ＣＩＦＳ）を含むことができる。
【０１２９】
[00145]様々な実施形態では、ワイヤレスデバイス２０２は、レガシープロトコルに従って、第１の時間間隔の間に第３の通信を送信するように構成され得る。たとえば、ＳＴＡ１０６Ａ〜１０６Ｄのうちのいずれかは、ＤＰＩ９０５、１００５、および／または１１０５の間に送信をめぐって競合することがある。いくつかの実施形態では、１つのＳＴＡ１０６ＡのみがＤＰＩ９０５、１００５、および／または１１０５の間に送信することができる。
【０１３０】
[00146]様々な実施形態では、第２の通信は、送信可メッセージ中の持続時間フィールドに従って関連するネットワーク割振りベクトルを更新しないよう命令するものとしてＨＥＷデバイスによって識別可能であり、レガシーデバイスが持続時間フィールドに従って関連するネットワーク割振りベクトルを更新するよう命令されるようにレガシーデバイスによって識別可能ではない、特定の媒体アクセス制御（ＭＡＣ）アドレスを含む送信可メッセージを含むことができる。たとえば、専用ＣＴＳ９２５Ａ〜９２５Ｃ、１０２５Ａ〜１０２５Ｃ、１０３５Ａ〜１０３５Ｃ、１０６０、１１２５Ａ〜１１２５Ｃ、１１３５Ａ〜１１３５Ｃ、および／または１１６０は、図３〜図８に関して上記で説明した専用ＣＴＳのうちのいずれかを含むことができる。
【０１３１】
[00147]図１５は、レガシーデバイスと高効率ワイヤレス（ＨＥＷ）デバイスとを含むＩＥＥＥ８０２．１１ワイヤレス通信システムにおけるワイヤレス通信のための別の装置１５００の機能ブロック図である。ワイヤレス通信を検出するための装置は、図１５に示す簡略化された装置１５００よりも多くの構成要素を有することができることを当業者は諒解されよう。図示のレガシーデバイスと高効率ワイヤレス（ＨＥＷ）デバイスとを含むＩＥＥＥ８０２．１１ワイヤレス通信システムにおけるワイヤレス通信のための装置１５００は、特許請求の範囲内の実装形態のいくつかの顕著な特徴を説明するのに有用なそれらの構成要素を含むに過ぎない。レガシーデバイスと高効率ワイヤレス（ＨＥＷ）デバイスとを含むＩＥＥＥ８０２．１１ワイヤレス通信システムにおけるワイヤレス通信のための装置１５００は、第２の通信を告知する第１の通信を受信するための手段１５０２と、ＨＥＷプロトコルに従う通信のための第１の時間間隔を決定するための手段１５０４と、レガシープロトコルに従って、第１の時間間隔の間に通信の受信を少なくとも部分的に保護するための第２の通信を送信するための手段１５０６とを含む。様々な実施形態では、装置１５００は、本明細書で説明する任意の他のブロックまたは機能を実行するための手段をさらに含むことができる。
【０１３２】
[00148]一実施形態では、第２の通信を告知する第１の通信を受信するための手段１５０２は、ブロック１４０２（図１４）に関して上記で説明した機能のうちの１つまたは複数を実行するように構成され得る。様々な実施形態では、第２の通信を告知する第１の通信を受信するための手段１５０２は、プロセッサ２０４（図２）、メモリ２０６（図２）、信号検出器２１８（図２）、ＤＳＰ２２０（図２）、受信機２１２（図２）、トランシーバ２１４（図２）、および／またはアンテナ２１６（図２）のうちの１つまたは複数によって実装され得る。
【０１３３】
[00149]一実施形態では、ＨＥＷプロトコルに従う通信のための第１の時間間隔を決定するための手段１５０４は、ブロック１４０４（図１４）に関して上記で説明した機能のうちの１つまたは複数を実行するように構成され得る。様々な実施形態では、ＨＥＷプロトコルに従う通信のための第１の時間間隔を決定するための手段１５０２は、プロセッサ２０４（図２）、メモリ２０６（図２）、信号検出器２１８（図２）、ＤＳＰ２２０（図２）、受信機２１２（図２）、トランシーバ２１４（図２）、および／またはアンテナ２１６（図２）のうちの１つまたは複数によって実装され得る。
【０１３４】
[00150]一実施形態では、レガシープロトコルに従って、第１の時間間隔の間に通信の受信を少なくとも部分的に保護するための第２の通信を送信するための手段１５０６は、ブロック１４０４（図１４）に関して上記で説明した機能のうちの１つまたは複数を実行するように構成され得る。様々な実施形態では、レガシープロトコルに従って、第１の時間間隔の間に通信の受信を少なくとも部分的に保護するための第２の通信を送信するための手段１５０６は、プロセッサ２０４（図２）、メモリ２０６（図２）、信号検出器２１８（図２）、ＤＳＰ２２０（図２）、送信機２１０（図２）、トランシーバ２１４（図２）、および／またはアンテナ２１６（図２）のうちの１つまたは複数によって実装され得る。
【０１３５】
[00151]情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１３６】
[00152]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与えられるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいか、または有利であると解釈されるべきではない。
【０１３７】
[00153]別個の実装形態という文脈において本明細書で説明したいくつかの特徴はまた、単一の実装形態において、組合せで実装され得る。逆に、単一の実装形態という文脈において説明した様々な特徴はまた、複数の実装形態において別々に、または任意の好適な部分組合せで実装され得る。さらに、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１３８】
[00154]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０１３９】
[00155]上記で説明した方法の様々な動作は、（１つまたは複数の）様々なハードウェア構成要素および／またはソフトウェア構成要素、回路、および／または（１つまたは複数の）モジュールなど、それらの動作を実行することが可能な任意の好適な手段によって実行され得る。一般に、図に示される任意の動作は、それらの動作を実行することが可能な対応する機能手段によって実行され得る。
【０１４０】
[00156]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または、本明細書で説明する機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４１】
[00157]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る、任意の他の媒体を含むことができる。また、任意の接続が、コンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、Ｂｌｕ−ｒａｙ（登録商標）ディスク（disc）とを含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。加えて、いくつかの態様では、コンピュータ可読媒体は一時的コンピュータ可読媒体（たとえば、信号）を含むことができる。上記の組合せもコンピュータ可読媒体の範囲内に含まれるべきである。
【０１４２】
[00158]本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１４３】
[00159]さらに、本明細書で説明する方法および技法を実行するためのモジュールおよび／または他の適切な手段は、適用可能な場合、ユーザ端末および／または基地局によってダウンロードされ、および／または他の方法で取得され得ることを諒解されたい。たとえば、そのようなデバイスは、本明細書で説明する方法を実行するための手段の転送を容易にするために、サーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明する方法および技法をデバイスに提供するための任意の他の好適な技法が利用され得る。
【０１４４】
[00160]上記は本開示の態様を対象とするが、本開示の他の態様およびさらなる態様は、その基本的範囲から逸脱することなく考案され得、その範囲は以下の特許請求の範囲によって決定される。
【図１】
2016540429.tif 000003
【図２】
2016540429.tif 000004
【図３】
2016540429.tif 000005
【図４】
2016540429.tif 000006
【図５】
2016540429.tif 000007
【図６】
2016540429.tif 000008
【図７】
2016540429.tif 000009
【図８】
2016540429.tif 000010
【図９】
2016540429.tif 000011
【図１０】
2016540429.tif 000012
【図１１】
2016540429.tif 000013
【図１２】
2016540429.tif 000014
【図１３】
2016540429.tif 000015
【図１４】
2016540429.tif 000016
【図１５】
2016540429.tif 000017
【国際調査報告】
2016540429.tif 000018
2016540429.tif 000019
2016540429.tif 000020